(57)【要約】即時アクセス呼設定、トークグループの作成および管理、ならびにインバンド信号方式トーンを採用するインバンドフロア調停およびモード切替えを含むディスパッチタイプのサービスを提供する相互接続通信システム（１００）を提供する。基礎となるネットワークに透過的な移動局（１０１〜１０３）ベースのトークグループの作成および管理ならびにインバンドフロア調停を提供することにより、ネットワークを変更する必要なくかつ採用するネットワークのタイプに関わりなく、レガシシステムにおいてトークグループの作成および管理ならびインバンドフロア調停を実施することができる。さらに、既知のメッセージの変更されたバージョンを利用することができる即時アクセス呼設定手続きおよびモード切替え手続きを提供することにより、レガシシステムにおいてそれら手続きを、レガシネットワークに対しかかる手続きを追加する影響を最小限にして、簡単な方法で実施することができる。
2006519509.tif 000002
【特許請求の範囲】
【請求項１】
無線通信システムにおいて即時アクセス音声呼を確立する方法であって、
第１の移動局から即時アクセス音声呼を開始したいという要求であって、該要求は該即時アクセス音声呼のモードを提案する要求を受け取るステップと、
前記要求を受け取ることに応じて、前記即時アクセス音声呼の前記提案されたモードを通知するページングメッセージにより、第２の移動局をページングするステップと、
前記第２の移動局による前記ページングメッセージに対する応答に基づき、前記音声呼の前記提案されたモードを確立するか否かを判断するステップとを備える、無線通信システムにおいて即時アクセス音声呼を確立する方法。
【請求項２】
前記即時アクセス音声呼を開始したいという要求はさらに、前記第２の移動局を識別する、請求項１に記載の無線通信システムにおいて即時アクセス音声呼を確立する方法。
【請求項３】
前記即時アクセス音声呼を開始したいという要求はさらに、前記第２の移動局がメンバであるトークグループを識別する、請求項１に記載の無線通信システムにおいて即時アクセス音声呼を確立する方法。
【請求項４】
前記即時アクセス音声呼を開始したいという要求は、サービスオプション（ＳＯ）データフィールドを含み、該ＳＯデータフィールドに埋め込まれる値は、前記即時アクセス音声呼の前記提案されたモードを通知する、請求項１に記載の無線通信システムにおいて即時アクセス音声呼を確立する方法。
【請求項５】
前記第１の移動局から受け取られる前記要求は、即時アクセス音声呼の第１のモードを提案する第１の要求を含み、当該方法は、
前記第２の移動局をページングすることに応じて、該第２の移動局から、即時アクセス音声呼を開始したいという第２の要求であって、前記即時アクセス音声呼に対する第２のモードを提案する要求を受け取るステップと、
前記第２の要求を受け取ることに応じて、前記第１の移動局に、該第１の移動局が前記即時アクセス音声呼の前記提案された第２のモードを受け入れるか否かを問い合わせるステップとをさらに備える、請求項１に記載の無線通信システムにおいて即時アクセス音声呼を確立する方法。
【請求項６】
前記第２の移動局をページングすることに応じて、該第２の移動局から、前記即時アクセス音声呼の前記提案されたモードの該第２の移動局による受入れを示す応答を受け取るステップと、
前記第２の移動局から前記応答を受け取ると、該第２の移動局にトラフィックチャネルを割り当てるステップとをさらに備える、請求項１に記載の無線通信システムにおいて即時アクセス音声呼を確立する方法。
【請求項７】
前記第１の移動局から受け取られる前記要求は、即時アクセス音声呼の第１のモードを提案する第１の要求を含み、前記第２の移動局から受け取られる前記ページングメッセージに対する前記応答は、前記即時アクセス音声呼の前記第１のモードの拒絶を示し、当該方法は、
前記第２の移動局から、即時アクセス音声呼を開始したいという第２の要求であって、前記即時アクセス音声呼に対する第２のモードを提案する要求を受け取るステップと、
前記第２の要求を受け取ることに応じて、前記第１の移動局に対し、該第１の移動局が前記即時アクセス音声呼に対する前記提案された第２のモードを受け入れるか否かを問い合わせるステップとをさらに備える、請求項６に記載の無線通信システムにおいて即時アクセス音声呼を確立する方法。
【請求項８】
前記応答は、前記第２の移動局が、前記即時アクセス音声呼の前記提案されたモードを受け入れないことを示し、当該方法は、
前記第１の移動局と前記第２の移動局との間の旧来の相互接続音声呼について交渉するステップをさらに備える、請求項１に記載の無線通信システムにおいて即時アクセス音声呼を確立する方法。
【請求項９】
無線通信システムにおいて移動局により即時アクセス音声呼を開始する方法であって、
移動局のユーザから、即時アクセス音声呼の提案されたモードを開始したいという第１の要求を受け取るステップと、
該第１の要求を受け取ることに応じて、即時アクセス音声呼の提案されたモードを開始したいという第２の要求を生成するステップと、
該第２の要求をインフラストラクチャに伝達するステップとを備える、無線通信システムにおいて移動局により即時アクセス音声呼を開始する方法。
【請求項１０】
前記第２の要求は、サービスオプション（ＳＯ）データフィールドを有する呼発呼メッセージを含み、前記生成するステップは、前記即時アクセス音声呼の前記提案されたモードを通知する値を前記ＳＯデータフィールドに埋め込むステップをさらに含む、請求項９に記載の無線通信システムにおいて移動局により即時アクセス音声呼を開始する方法。
【請求項１１】
前記移動局は、第１の移動局を含み、当該方法は、
前記第２の要求に対する応答であって、第２の移動局が前記即時アクセス音声呼に対する前記提案されたモードを受け入れるか否かを通知する応答を受け取るステップをさらに備える、請求項９に記載の無線通信システムにおいて移動局により即時アクセス音声呼を開始する方法。
【請求項１２】
前記応答は、デュアルトーンマルチ周波数（ＤＴＭＦ）信号を含み、前記方法は、
受け取られた前記ＤＴＭＦ信号に基づき、即時アクセス音声呼が確立されたと判断するステップをさらに備える、請求項１１に記載の無線通信システムにおいて移動局により即時アクセス音声呼を開始する方法。
【請求項１３】
前記デュアルトーンマルチ周波数信号に基づき、前記第２の移動局を識別するステップをさらに備える、請求項１２に記載の無線通信システムにおいて移動局により即時アクセス音声呼を開始する方法。
【請求項１４】
無線通信システムにおいて移動局により即時アクセス音声呼を確立する方法であって、
即時アクセス音声呼の提案されたモードへの参加を要求するページングメッセージを受け取るステップと、
該受け取られたページングメッセージに基づいて、前記即時アクセス音声呼の前記提案されたモードを受け入れるか否かを判断するステップとを備える、無線通信システムにおいて移動局により即時アクセス音声呼を確立する方法。
【請求項１５】
前記判断するステップは、前記即時アクセス音声呼の前記提案されたモードを受け入れないと判断するステップを含み、前記受け取られたページングメッセージに応答しないステップをさらに含む、請求項１４に記載の無線通信システムにおいて移動局により即時アクセス音声呼を確立する方法。
【請求項１６】
前記判断するステップは、前記即時アクセス音声呼の前記提案されたモードを受け入れないと判断するステップを含み、前記即時アクセス音声呼に対する異なるモードを提案する要求を伝達するステップをさらに含む、請求項１４に記載の無線通信システムにおいて
移動局により即時アクセス音声呼を確立する方法。
【請求項１７】
特別サービスオプション（ＳＳＯ）データフィールドを有するページ応答を伝達するステップをさらに含み、該ＳＳＯデータフィールドに埋め込まれる値は、前記移動局が前記即時アクセス音声呼の前記提案されたモードを受け入れるか否かを通知する、請求項１４に記載の無線通信システムにおいて移動局により即時アクセス音声呼を確立する方法。
【請求項１８】
前記判断するステップは、前記即時アクセス音声呼の前記提案されたモードを受け入れると判断するステップを含み、当該方法は、
前記移動局のマイクロフォンをミュートするステップをさらに含む、請求項１４に記載の無線通信システムにおいて移動局により即時アクセス音声呼を確立する方法。
【請求項１９】
複数の参加者を含む無線通信セッションにおいて移動局によりインバンド話者調停を提供する方法であって、
第２の移動局による前記通信セッションのフロアを確保したいという要求に対応する第１のインバンド信号方式トーンを受け取るステップと、
該第１のインバンド信号方式トーンを受け取ることに応じて、前記第２の移動局によるアクセスを制御する第２のインバンド信号方式トーンを前記通信セッションの前記フロアに伝達するステップとを備える、複数の参加者を含む無線通信セッションにおいて移動局によりインバンド話者調停を提供する方法。
【請求項２０】
前記第１のインバンド信号方式トーンは、第１のデュアルトーンマルチ周波数（ＤＴＭＦ）信号と第１のＴＴＹ／ＴＴＤ（TeleTYpewriter/Telecommunications Device for the
Deaf ）信号とのうちの一方を含み、前記第２のインバンド信号方式トーンは、第２のＤＴＭＦ信号と第２のＴＴＹ／ＴＴＤ信号とのうちの一方を含む、請求項１９に記載の複数の参加者を含む無線通信セッションにおいて移動局によりインバンド話者調停を提供する方法。
【請求項２１】
前記第２のインバンド信号方式トーンは、前記第２の移動局に対する前記通信セッションの前記フロアの確保を許可する、請求項１９に記載の複数の参加者を含む無線通信セッションにおいて移動局によりインバンド話者調停を提供する方法。
【請求項２２】
前記第２のインバンド信号方式トーンは、前記第２の移動局に対する前記通信セッションの前記フロアの確保を許可しない、請求項１９に記載の複数の参加者を含む無線通信セッションにおいて移動局によりインバンド話者調停を提供する方法。
【請求項２３】
前記第１のインバンド信号方式トーンは、前記第２の移動局を識別する、請求項１９に記載の複数の参加者を含む無線通信セッションにおいて移動局によりインバンド話者調停を提供する方法。
【請求項２４】
前記第１の移動局により、前記第２の移動局に、該第２の移動局に関連するデュアルトーンマルチ周波数信号を通知するステップをさらに含む、請求項１９に記載の複数の参加者を含む無線通信セッションにおいて移動局によりインバンド話者調停を提供する方法。
【請求項２５】
音声呼をディスパッチモード音声呼または相互接続モード音声呼のうちの一方から他方のモードの音声呼に変換する方法であって、
移動局によりトラフィックチャネルを介して、前記他方のモードの音声呼に切り替わりたいという要求であってインバンド信号方式トーンを含む要求を受け取るステップと、
前記移動局により、前記受け取られた要求に基づいて前記他方のモードの音声呼に切り替わるか否かを判断するステップとを備える、音声呼をディスパッチモード音声呼または
相互接続モード音声呼のうちの一方から他方のモードの音声呼に変換する方法。
【請求項２６】
前記インバンド信号方式トーンは、デュアルトーンマルチ周波数（ＤＴＭＦ）信号、およびＴＴＹ／ＴＴＤ（TeleTYpewriter/Telecommunications Device for the Deaf ）信号のうちの一方を含む、請求項２５に記載の音声呼をディスパッチモード音声呼または相互接続モード音声呼のうちの一方から他方のモードの音声呼に変換する方法。
【請求項２７】
前記要求を受け取ることに応じて、前記移動局により前記他方のモードの音声呼に自動的に切り替わるステップをさらに備える、請求項２５に記載の音声呼をディスパッチモード音声呼または相互接続モード音声呼のうちの一方から他方のモードの音声呼に変換する方法。
【請求項２８】
音声呼をディスパッチモード音声呼または相互接続モード音声呼のうちの一方から他方のモードの音声呼に変換する方法であって、
移動局のユーザから、前記音声呼のモードを切り替えたいという要求を受け取るステップと、
該要求を受け取ることに応じて、前記移動局により、インバンド信号方式トーンを生成するステップと、
前記他方のモードの音声呼に切り替わりたいという要求であって、前記インバンド信号方式トーンを含む要求を、トラフィックチャネルを介して伝達するステップとを備える、音声呼をディスパッチモード音声呼または相互接続モード音声呼のうちの一方から他方のモードの音声呼に変換する方法。
【請求項２９】
前記インバンド信号方式トーンは、デュアルトーンマルチ周波数（ＤＴＭＦ）信号とＴＴＹ／ＴＴＤ（TeleTYpewriter/Telecommunications Device for the Deaf ）信号とのうちの一方を含む、請求項２８に記載の音声呼をディスパッチモード音声呼または相互接続モード音声呼のうちの一方から他方のモードの音声呼に変換する方法。
【請求項３０】
前記他方のモードの音声呼に切り替わりたいという前記要求に対する応答を受け取るステップと、
該受け取られる応答に基づいて、前記他方のモードの音声呼に切り替わるか否かを判断するステップとをさらに備える、請求項２８に記載の音声呼をディスパッチモード音声呼または相互接続モード音声呼のうちの一方から他方のモードの音声呼に変換する方法。
【請求項３１】
第１の移動局によりトークグループを作成する方法であって、
前記移動局により、前記トークグループのメンバとして第２の移動局を選択するステップと、
前記移動局により、第１の移動局に関連する第１の移動局（ＭＳ）識別子と、前記第２の移動局に関連する第２のＭＳ識別子と、の間の関連を格納するステップと、
前記第２のＭＳ識別子に関連して前記第１のＭＳ識別子を含むトークグループ情報を、前記第１の移動局によって前記第２の移動局に伝達するステップとを備える、第１の移動局によりトークグループを作成する方法。
【請求項３２】
前記第１の移動局により、トークグループ識別子を前記トークグループに割り当てるステップをさらに含み、
前記第１の移動局識別子および前記第２の移動局識別子の各々に関連して前記トークグループ識別子を格納するステップをさらに含む、請求項３１に記載の第１の移動局によりトークグループを作成する方法。
【請求項３３】
前記移動局により、前記第２の移動局にデュアルトーンマルチ周波数（ＤＴＭＦ）トー
ンを割り当てるステップと、
前記第２の移動局に関連して前記割り当てられたＤＴＭＦトーンを格納するステップとをさらに備える、請求項３１に記載の第１の移動局によりトークグループを作成する方法。
【請求項３４】
前記移動局における前記トークグループのメンバ構成の制御を維持するステップをさらに含む、請求項３１に記載の第１の移動局によりトークグループを作成する方法。
【請求項３５】
即時アクセス音声呼に参加することができる移動局であって、
即時アクセス呼のモードに対応するサービスオプション値を格納するメモリと、
該メモリに結合され、当該移動局のユーザから、即時アクセス音声呼の提案されたモードを開始したいという第１の要求を受け取り、該第１の要求を受け取ることに応じて、サービスオプション（ＳＯ）データフィールドを有する呼発呼メッセージを生成し、該ＳＯデータフィールドに、前記即時アクセス音声呼の前記提案されたモードを通知する値を埋め込み、前記呼発呼メッセージをインフラストラクチャに伝達する、プロセッサと、
を具備する移動局。
【請求項３６】
第１の移動局を含み、前記プロセッサはさらに、前記第２の要求に対する応答を受け取り、該応答に基づき、第２の移動局が前記即時アクセス音声呼に対する前記提案されたモードを受け入れるか否かを判断する、請求項３５に記載の移動局。
【請求項３７】
前記プロセッサに結合されたデュアルトーンマルチ周波数（ＤＴＭＦ）検出器をさらに具備し、
前記応答はＤＴＭＦ信号を含み、前記ＤＴＭＦ検出器は、前記ＤＴＭＦ信号を受け取り、該ＤＴＭＦ信号を対応する値に変換し、該値を前記プロセッサに伝達し、該プロセッサは、前記ＤＴＭＦ検出器から受け取られた前記値に基づき、即時アクセス音声呼が確立されたと判断する、請求項３６に記載の移動局。
【請求項３８】
即時アクセス音声呼に参加することができる移動局であって、
即時アクセス呼のモードに対応するサービスオプション（ＳＯ）値を格納するメモリと、
該メモリに結合され、ＳＯデータフィールドを有するページングメッセージを受け取り、該ＳＯデータフィールドに埋め込まれた値に基づきかつ前記メモリを参照することにより、当該移動局が即時アクセス音声呼の提案されたモードに参加するように要求されていると判断するプロセッサと、
を具備する移動局。
【請求項３９】
前記プロセッサはさらに、前記受け取られたページングメッセージに応答しないと判断する、請求項３８に記載の移動局。
【請求項４０】
前記プロセッサはさらに、前記即時アクセス音声呼の前記提案されたモードを受け入れないと判断し、前記受け取られたページングメッセージに応答しないこと、および、前記即時アクセス音声呼に対する異なるモードを提案する要求を組み立てて伝達すること、のうちの一方を行う、請求項３８に記載の移動局。
【請求項４１】
前記プロセッサはさらに、当該移動局が前記即時アクセス音声呼の前記提案されたモードを受け入れ前記ページ応答を送信するか否かを示すページ応答を組み立てる、請求項３８に記載の移動局。
【請求項４２】
前記ページング応答は、特別サービスオプション（ＳＳＯ）データフィールドを含み、
前記プロセッサは、前記メモリを参照して、当該移動局が前記即時アクセス音声呼の前記提案されたモードを受け入れるか否かを通知する値を前記ＳＳＯデータフィールドに埋め込む、請求項４１に記載の移動局。
【請求項４３】
前記プロセッサはさらに、前記即時アクセス音声呼の前記提案されたモードを受け入れると判断し、さらに、当該移動局のマイクロフォンをミュートする、請求項４１に記載の移動局。
【請求項４４】
複数の参加者を含む無線通信セッションにおいてインバンド話者調停を実行する第１の移動局であって、
第２の移動局による前記通信セッションのフロアを確保したいという要求に対応する第１のインバンド信号方式トーンを受け取り、該受け取られたインバンド信号方式トーンを対応する第１の値に変換し、該第１の値をプロセッサにルーティングするインバンド信号方式トーン検出器と、
インバンド信号方式トーンに対応する値と、該値を解釈することに関連するプログラムと、を格納するメモリと、
前記インバンド信号方式トーン検出器と前記メモリとに結合され、該インバンド信号方式トーン検出器から前記値を受け取り、前記第１の値に基づきかつ前記メモリを参照して、該値が第２の移動局による前記通信セッションのフロアを確保したいという要求に対応すると判断し、インバンド信号方式トーン発生器に対し、前記通信セッションの前記フロアへのアクセスを制御する第２のインバンド信号方式トーンを生成するように命令する、プロセッサと、
該プロセッサに結合され、前記第２のインバンド信号方式トーンを生成するインバンド信号方式トーン発生器と、
を具備する第１の移動局。
【請求項４５】
前記インバンド信号方式トーン検出器は、前記第１および第２のインバンド信号方式トーンの各々が１つまたは複数のデュアルトーンマルチ周波数（ＤＴＭＦ）トーンを含む場合の、ＤＴＭＦトーンを検出するＤＴＭＦ検出器と、前記第１および第２のインバンド信号方式トーンの各々が１つまたは複数のＴＴＹ／ＴＴＤ（TeleTYpewriter/Telecommunications Device for the Deaf ）トーンを含む場合の、ＴＴＹ／ＴＴＤトーンを検出するＴＴＹ／ＴＴＤ検出器と、のうちの一方を含み、前記インバンド信号方式トーン発生器は、ＤＴＭＦトーンを生成するＤＴＭＦ発生器と、ＴＴＹ／ＴＴＤトーンを生成するＴＴＹ／ＴＴＤ発生器と、のうちの一方を含む、請求項４４に記載の第１の移動局。
【請求項４６】
前記第２のインバンド信号方式トーンは、前記第２の移動局に対する前記通信セッションの前記フロアの確保を許可する、請求項４４に記載の第１の移動局。
【請求項４７】
前記第２のインバンド信号方式トーンは、前記第２の移動局に対する前記通信セッションの前記フロアの確保を許可しない、請求項４４に記載の第１の移動局。
【請求項４８】
前記メモリはさらに、前記第２の移動局に関連するデュアルトーンマルチ周波数（ＤＴＭＦ）信号を格納し、前記第１のインバンド信号方式トーンは、前記第２の移動局に関連する前記ＤＴＭＦ信号を含む、請求項４４に記載の第１の移動局。
【請求項４９】
音声呼をディスパッチモード音声呼または相互接続モード音声呼のうちの一方から他方のモードの音声呼に変換することができる移動局であって、
前記他方のモードの音声呼に切り替わりたいという要求に対応するインバンド信号方式トーンを受け取り、該受け取られたインバンド信号方式トーンを対応する値に変換し、該第１の値をプロセッサにルーティングするインバンド信号方式トーン検出器と、
インバンド信号方式トーンに対応する値と、該値を解釈することに関連するプログラムと、を格納するメモリと、
前記インバンド信号方式トーン検出器と前記メモリとに結合され、該インバンド信号方式トーン検出器から前記値を受け取り、該値に基づきかつ前記メモリを参照して、該値が前記他方のモードの音声呼に切り替わりたいという要求に対応すると判断し、前記受け取られた要求に基づいて前記他方のモードの音声呼に切り替わるか否かを判断するプロセッサと、
を具備する移動局。
【請求項５０】
前記インバンド信号方式トーン検出器は、前記インバンド信号方式トーンがデュアルトーンマルチ周波数（ＤＴＭＦ）信号を含む場合の、ＤＴＭＦトーンを検出するＤＴＭＦ検出器と、前記インバンド信号方式トーンがＴＴＹ／ＴＴＤ（TeleTYpewriter/Telecommunications Device for the Deaf ）トーンを含む場合の、ＴＴＹ／ＴＴＤトーンを検出するＴＴＹ／ＴＴＤ検出器と、のうちの一方を含む、請求項９１に記載の移動局。
【請求項５１】
前記プロセッサは、前記要求を受け取ることに応じて、前記他方のモードの音声呼に自動的に切り替わる、請求項４９に記載の移動局。
【請求項５２】
前記プロセッサは、前記他方のモードの音声呼に切り替わるか否かを判断すると、該他方のモードの音声呼に切り替わりたいという前記要求に対する応答を伝達し、前記音声呼の前記他方のモードに切り替わると判断すると、該他方のモードの音声呼に切り替わり、該他方のモードの音声呼に切り替わらないと判断すると、該音声呼の現モードを維持する、請求項４９に記載の移動局。
【請求項５３】
音声呼をディスパッチモード音声呼または相互接続モード音声呼のうちの一方から他方のモードの音声呼に変換することができる移動局であって、
当該移動局のユーザから前記他方のモードの音声呼に切り替わりたいというユーザ要求を受け取るユーザインタフェースと、
インバンド信号方式トーンに対応する値と、該値を解釈することに関連するプログラムと、を格納するメモリと、
該メモリおよび前記ユーザインタフェースの各々に結合され、前記ユーザ要求を受け取り、前記他方のモードの音声呼に切り替わりたいという要求を生成するプロセッサと、
該プロセッサに結合され、前記他方のモードの音声呼に切り替わりたいという前記要求を受け取り、該受け取られた要求を対応するインバンド信号方式トーンに変換し、該インバンド信号方式トーンを、トラフィックチャネルを介して第２の移動局に伝達するインバンド信号方式トーン発生器と、
を具備する移動局。
【請求項５４】
前記インバンド信号方式トーン発生器は、前記インバンド信号方式トーンがデュアルトーンマルチ周波数（ＤＴＭＦ）信号を含む場合の、ＤＴＭＦトーンを生成するＤＴＭＦ発生器と、前記インバンド信号方式トーンがＴＴＹ／ＴＴＤ（TeleTYpewriter/Telecommunications Device for the Deaf ）トーンを含む場合の、ＴＴＹ／ＴＴＤトーンを生成するＴＴＹ／ＴＴＤ発生器と、のうちの一方を含む、請求項５３に記載の移動局。
【請求項５５】
トークグループを作成することができる第１の移動局であって、
複数の移動局（ＭＳ）識別子を格納するメモリであって、該複数のＭＳ識別子のうちの第１のＭＳ識別子は当該第１の移動局に関連し、該複数のＭＳ識別子のうちの第２のＭＳ識別子は第２の移動局に関連する、メモリと、
該メモリに結合され、少なくとも前記第２の移動局を前記トークグループのメンバとして選択し、前記メモリにおいて、前記第２のＭＳ識別子を前記第１のＭＳ識別子に関連付
け、前記第２の移動局に対し、トークグループ情報を伝達するプロセッサであって、該トークグループ情報は前記第２のＭＳ識別子に関連して前記第１のＭＳ識別子を含む、プロセッサと、
を具備する第１の移動局。
【請求項５６】
前記プロセッサはさらに、前記トークグループにトークグループ識別子を割り当て、該トークグループ識別子を前記メモリにおいて、前記第１の移動局識別子および前記第２の移動局識別子の各々に関連して格納する、請求項５５に記載の第１の移動局。
【請求項５７】
前記プロセッサはさらに、前記第２の移動局にデュアルトーンマルチ周波数（ＤＴＭＦ）トーンを割り当て、前記メモリにおいて、該割り当てられたＤＴＭＦトーンを前記第２の移動局識別子に関連して格納する、請求項５５に記載の第１の移動局。
【発明の詳細な説明】
【技術分野】
【０００１】
［発明の分野］
本発明は、セルラー通信システム一般に関し、より詳細には、相互接続セルラー通信システムにおけるディスパッチ通信サービスの提供に関する。
【背景技術】
【０００２】
［発明の背景］
近年、ｃｄｍａ２０００通信システム等の符号分割多重接続（Code Division Multiple
Access ）（ＣＤＭＡ）通信システムにディスパッチ機能を追加することが提案された。ディスパッチサービスは、今日のセルラーシステムによって提供される相互接続サービスとは異なり、従来、双方向無線システムによって提供されてきた。かかるサービスにより、ユーザは、今日のセルラーシステムを使用すると困難であるかまたは費用のかかる方法で通信することができる。かかるサービスでは、呼を発生する移動局によるターゲット移動局への即時アクセスも可能になる。たとえば、ディスパッチグループ呼サービスにより、ユーザは、通常プッシュ・トゥ・トーク（push-to-talk）（ＰＴＴ）キーを押下することにより、同時にかつ即時に人々のグループと通信することができる。セルラーシステムを使用すると、３方向呼のための電話番号をダイヤルする必要があるかまたは会議呼（conference call ）を設定するように手配する必要があるため、かかる呼は瞬時に発生することができない。同様に、ディスパッチ・ポイント・ツー・ポイント呼サービスにより、ユーザは、この場合もまた通常はＰＴＴキーを押下することにより別のユーザと迅速にかつ即時に通信することができる。この特徴は、協力するが建物の異なる部分で働いている２人等、一緒に働いているが互いに直接話すことができない２人に対して理想的である。会話に対して無線電話呼がより適当である可能性のある場合、仕事をしている際の２人の間の簡易メッセージは、ディスパッチ・ポイント・ツー・ポイント呼サービスによってより容易になる。
【０００３】
任意のディスパッチ呼において、低遅延であることもまた重大な要素である。たとえば、典型的な相互接続音声呼に対して許容できる設定遅延が、被呼者に対して行われている非常に高速な接続に頼るディスパッチサービスには許容できない可能性がある。したがって、上述したように、ディスパッチサービスは、即時アクセス（Instant Access）呼設定を提供する。しかしながら、セルラー通信システムにおいてディスパッチシステムを実施する際の問題は、システムの電話にはディスパッチ対応のものもあるが、レガシ電話はディスパッチに対応していない可能性がある、ということである。さらに、ディスパッチサービスでは、一度に１人の話者しか発話する、すなわち送信することができず、その間他のすべての人が受信しなければないのに対し、典型的な相互接続システムでは、各参加者が同時に送受信することができる。ディスパッチ通信セッションに参加するユーザは、呼が長時間の会話となる場合、ディスパッチサービスには制約がありすぎると感じる場合があり、呼の最中に相互接続通信セッションに切り替わりたいと望む場合がある。
【発明の開示】
【発明が解決しようとする課題】
【０００４】
したがって、ディスパッチユーザが要求する高速相互接続を可能にし、ユーザ機器が典型的なディスパッチ無線電話であることを必要とせず、ディスパッチ通信セッションに参加しているユーザが、望むときに相互接続通信セッションに切り替わることができる、方法および装置が必要とされている。
【課題を解決するための手段】
【０００５】
［発明の詳細な説明］
ディスパッチユーザが要求する高速相互接続を可能にし、ユーザ機器が典型的なディスパッチ無線電話であることを必要とせず、ディスパッチ通信セッションに参加しているユーザが、望むときに相互接続通信セッションに切り替わることができる、方法および装置に対する必要に対応するために、即時アクセス呼設定、トークグループの作成および管理、ならびにインバンド信号方式（in-band signaling ）トーンを採用するインバンドフロア（floor ）調停およびモード切替えを含むディスパッチタイプのサービスを提供する相互接続通信システムが提供される。基礎となるネットワークに透過的なトークグループの作成および管理ならびにインバンドフロア調停を提供することにより、ネットワークを変更する必要なくかつ採用するネットワークのタイプに関わりなく、レガシシステムにおいてトークグループの作成および管理ならびインバンドフロア調停を実施することができる。さらに、既知のメッセージの変更されたバージョンを利用することができる即時アクセス呼設定手続きおよびモード切替え手続きを提供することにより、レガシシステムにおいてそれら手続きを、レガシネットワークに対しかかる手続きを追加する影響を最小限にして、簡単な方法で実施することができる。
【０００６】
包括的には、本発明の一実施形態は、無線通信システムにおいて即時アクセス音声呼を確立する方法を包含する。本方法は、第１の移動局から即時アクセス音声呼を開始したいという要求を受け取ることであって、該要求は即時アクセス音声呼のモードを提案する、受け取ること、および、要求を受け取ることに応じて、第２の移動局をページングメッセージによりページングすることであって、該ページングメッセージは、即時アクセス音声呼の提案されたモードを通知する、ページングすること、を含む。本方法はさらに、第２の移動局によるページングメッセージに対する応答に基づき、音声呼の提案されたモードを確立するか否かを判断することを含む。
【０００７】
本発明の別の実施形態は、無線通信システムにおいて移動局により即時アクセス音声呼を開始する方法を包含する。本方法は、移動局のユーザから、即時アクセス音声呼の提案されたモードを開始したいという第１の要求を受け取ること、第１の要求を受け取ることに応じて、即時アクセス音声呼の提案されたモードを開始したいという第２の要求を生成すること、および、第２の要求をインフラストラクチャに伝達すること、を含む。
【０００８】
本発明のさらに別の実施形態は、無線通信システムにおいて移動局により即時アクセス音声呼を確立する方法を包含する。本方法は、即時アクセス音声呼の提案されたモードへの参加を要求するページングメッセージを受け取ること、および受け取ったページングメッセージに基づいて、即時アクセス音声呼の提案された呼を受け入れるか否かを判断すること、を含む。
【０００９】
本発明のさらに別の実施形態は、複数の参加者を含む無線通信セッションにおいて移動局によりインバンド話者調停を提供する方法を包含する。本方法は、第２の移動局による通信セッションのフロアを確保したいという要求に対応する第１のインバンド信号方式トーンを受け取ること、および、第１のインバンド信号方式トーンを受け取ることに応じて、第２の移動局によるアクセスを制御する第２のインバンド信号方式トーンを通信セッションのフロアに伝達することを含む。
【００１０】
本発明のさらに別の実施形態は、音声呼をディスパッチモード音声呼または相互接続モード音声呼のうちの一方から他方のモードの音声呼に変換する方法を包含する。本方法は、移動局によりトラフィックチャネルを介して、他方のモードの音声呼に切り替わりたいという要求を受け取ることであって、該要求はインバンド信号方式トーンを含む、受け取ること、および、移動局により、受け取られた要求に基づいて他方のモードの音声呼に切
り替わるか否かを判断することを含む。
【００１１】
本発明のさらに別の実施形態は、音声呼をディスパッチモード音声呼または相互接続モード音声呼のうちの一方から他方のモードの音声呼に変換する方法を包含する。本方法は、移動局のユーザから、音声呼のモードを切り替えたいという要求を受け取ること、該要求を受け取ることに応じて、移動局により、インバンド信号方式トーンを生成すること、および、トラフィックチャネルを介して、他方のモードの音声呼に切り替わりたいという要求を伝達することであって、該要求はインバンド信号方式トーンを含む。
【００１２】
本発明のさらに別の実施形態は、第１の移動局によりトークグループを作成する方法を包含する。本方法は、移動局により、トークグループのメンバとして第２の移動局を選択すること、および、移動局により、第１の移動局に関連する第１の移動局（ＭＳ）識別子と、第２の移動局に関連する第２のＭＳ識別子と、の間の関連を格納することを含む。本方法はさらに、第１の移動局によりトークグループ情報を第２の移動局に伝達することであって、トークグループ情報は、第２のＭＳ識別子に関連して第１のＭＳ識別子を含む、伝達することを含む。
【００１３】
本発明のさらに別の実施形態は、即時アクセス音声呼に参加することができる移動局を包含する。移動局は、プロセッサに結合されたメモリを有する。メモリは、即時アクセス呼のモードに対応するサービスオプション値を格納する。プロセッサは、移動局のユーザから、即時アクセス音声呼の提案されたモードを開始したいという第１の要求を受け取り、該第１の要求を受け取ることに応じて、サービスオプション（ＳＯ）データフィールドを有する呼発呼メッセージを生成し、ＳＯデータフィールドに、即時アクセス音声呼の提案されたモードを通知する値を埋め込み、呼発呼メッセージをインフラストラクチャに伝達する。
【００１４】
本発明のさらに別の実施形態は、即時アクセス音声呼に参加することができる移動局を包含する。移動局は、プロセッサに結合されたメモリを有する。メモリは、即時アクセス呼の提案されたモードに対応するサービスオプション（ＳＯ）値を格納する。プロセッサは、ＳＯデータフィールドを有するページングメッセージを受け取り、ＳＯデータフィールドに埋め込まれた値に基づきかつメモリを参照することにより、移動局が、即時アクセス音声呼の提案されたモードに参加するように要求されていると判断する。
【００１５】
本発明のさらに別の実施形態は、複数の参加者を含む無線通信セッションにおいてインバンド話者調停を実行する第１の移動局を包含する。第１の移動局は、インバンド信号方式トーン検出器、メモリ、およびインバンド信号方式トーン発生器の各々に結合されたプロセッサを有する。インバンド信号方式トーン検出器は、第２の移動局による通信セッションのフロアを確保したいという要求に対応する第１のインバンド信号方式トーンを受け取り、受け取ったインバンド信号方式トーンを対応する第１の値に変換し、その第１の値をプロセッサにルーティングする。メモリは、インバンド信号方式トーンに対応する値と、それら値を解釈することに関連するプログラムと、を格納する。プロセッサは、インバンド信号方式トーン検出器から値を受け取り、第１の値に基づきかつメモリを参照して、値が第２の移動局による通信セッションのフロアを確保したいという要求に対応すると判断し、インバンド信号方式トーン発生器に対し、通信セッションのフロアに対するアクセスを制御する第２のインバンド信号方式トーンを生成するように命令する。インバンド信号方式トーン発生器は、第２のインバンド信号方式トーンを生成する。
【００１６】
本発明のさらに別の実施形態は、音声呼をディスパッチモード音声呼または相互接続モード音声呼のうちの一方から他方のモードの音声呼に変換することができる移動局を包含する。この移動局は、インバンド信号方式トーン検出器およびメモリの各々に結合された
プロセッサを有する。インバンド信号方式トーン検出器は、他方のモードの音声呼に切り替わりたいという要求に対応するインバンド信号方式トーンを受け取り、受け取ったインバンド信号方式トーンを対応する値に変換し、第１の値をプロセッサにルーティングする。メモリは、インバンド信号方式トーンに対応する値と、それら値を解釈することに関連するプログラムと、を格納する。プロセッサは、インバンド信号方式トーン検出器から値を受け取り、その値に基づきかつメモリを参照して、値が他方のモードの音声呼に切り替わりたいという要求に対応すると判断し、受け取った要求に基づいて他方のモードの音声呼に切り替わるか否かを判断する。
【００１７】
本発明のさらに別の実施形態は、音声呼をディスパッチモード音声呼または相互接続モード音声呼のうちの一方から他方のモードの音声呼に変換することができる移動局を包含する。この移動局は、ユーザインタフェース、メモリ、およびインバンド信号方式トーン発生器の各々に結合されたプロセッサを有する。ユーザインタフェースは、移動局のユーザから、他方のモードの音声呼に切り替わりたいというユーザ要求を受け取る。メモリは、インバンド信号方式トーンに対応する値と、それら値を解釈することに関連するプログラムと、を格納する。プロセッサは、ユーザ要求を受け取り、他方のモードの音声呼に切り替わりたいという要求を生成する。インバンド信号方式トーン発生器は、他方のモードの音声呼に切り替わりたいという要求を受け取り、受け取った要求を対応するインバンド信号方式トーンに変換する。
【００１８】
本発明のさらに別の実施形態は、トークグループを作成することができる第１の移動局を包含する。移動局は、複数の移動局（ＭＳ）識別子を格納するメモリであって、該複数のＭＳ識別子のうちの第１のＭＳ識別子は第１の移動局に関連し、該複数のＭＳ識別子のうちの第２のＭＳ識別子は第２の移動局に関連する、メモリを有する。第１の移動局はさらに、メモリに結合され、少なくとも第２の移動局をトークグループのメンバとして選択し、メモリにおいて、第２のＭＳ識別子を第１のＭＳ識別子に関連付け、第２の移動局に対し、トークグループ情報を伝達するプロセッサであって、該トークグループ情報は第２のＭＳ識別子に関連して第１のＭＳ識別子を含む、プロセッサを有する。
【発明を実施するための最良の形態】
【００１９】
本発明について、図１乃至図６を参照してより完全に説明することができる。図１は、本発明の一実施形態による無線通信システム１００のブロック図である。通信システム１００は、各々が複数の中央基地局コントローラ（Central Base Station Controller ）（ＣＢＳＣ）１２１〜１２３（３つ示す）のそれぞれに動作可能に結合される複数の基地局サブシステム（Base Station Subsystem）（ＢＳＳ）１１１〜１１３（３つ示す）を有する。そして、複数のＣＢＳＣ１２１〜１２３の各々は、移動機交換センター（Mobile Switching Center ）（ＭＳＣ）１３０に動作可能に結合される。当業者は、本発明の精神および範囲から逸脱することなく、ＣＢＳＣ１２２および１２３のうちの１つまたは複数をＭＳＣ１３０とは異なるＭＳＣに動作可能に結合してもよく、その場合、ＭＳＣ１３０は、ＣＢＳＣの対応するＭＳＣを介してかかるＣＢＳＣと通信してもよい、ということを認める。
【００２０】
通信システム１００は、各々がトークグループ１０４のメンバである複数の移動局（ＭＳ）１０１〜１０３（３つ示す）をさらに備える。複数のＭＳ１０１〜１０３の各ＭＳは、複数のＢＳＳ１１１〜１１３のうちのそれぞれのＢＳＳと無線通信する。各ＢＳＳ１１１〜１１３は、それぞれの順方向リンク１４０、１５０、１６０およびそれぞれの逆方向リンク１４５、１５５、１６５を介して通信サービスをそれぞれのＭＳ１０１〜１０３に提供する。各順方向リンク１４０、１５０、１６０は、それぞれのページングチャネル１４１、１５１、１６１と、それぞれの少なくとも１つの順方向リンク制御チャネル１４２、１５２、１６２と、それぞれの少なくとも１つの順方向リンクトラフィックチャネル１
４３、１５３、１６３と、を有する。各逆方向リンク１４５、１５５、１６５は、それぞれの逆方向リンクアクセスチャネル１４６、１５６、１６６と、それぞれの少なくとも１つの逆方向リンク制御チャネル１４７、１５７、１６７と、それぞれの少なくとも１つの逆方向リンクトラフィックチャネル１４８、１５８、１６８と、を有する。
【００２１】
ＭＳＣ１３０は、ＭＳＣ１３０によってサービスを提供されるエリアでアクティブな各ＭＳ１０１〜１０３に関連するＭＳ識別子を格納し、ＭＳが通信システム１００において起動した時のＭＳの登録を含む、各かかるＭＳに関連するプロビジョニングおよび移動性情報を維持し追跡する、ロケーションデータベース１３２を有するか、またはそれに動作可能に結合される。データベース１３２を、本技術分野において既知であるようなホームロケーションレジスタ（Home Location Register）（ＨＬＲ）またはビジタロケーションレジスタ（Visited Location Register ）（ＶＬＲ）、またはＨＬＲおよびＶＬＲの組合せ、または１つまたは複数のＨＬＲおよび／またはＶＬＲの組合せに含めてもよい。ＢＳＳ１１１〜１１３、ＣＢＳＣ１２１〜１２３、ＭＳＣ１３０、およびロケーションデータベース１３２を、本明細書ではまとめて無線インフラストラクチャ１３４と呼ぶ。
【００２２】
通信システム１００は、符号分割多重接続（Code Division Multiple Access ）（ＣＤＭＡ）通信システムであることが好ましく、そこでは、アクセスチャネル、制御チャネル、ページングチャネル、およびトラフィックチャネル等、順方向リンク１４０、１５０、１６０または逆方向リンク１４５、１５５、１６５の通信チャネルは、同じ周波数帯域幅で送信されるＷａｌｓｈ符号等の直交符号を含む。しかしながら、当業者は、通信システム１００が、限定されないが、移動体通信用グローバルシステム（Global System for Mobile Communications ）（ＧＳＭ）通信システム、時分割多重接続（Time Division Multiple Access ）（ＴＤＭＡ）通信システム、周波数分割多重接続（Frequency Division Multiple Access）（ＦＤＭＡ）通信システム、または直交周波数分割多重接続（Orthogonal Frequency Division Multiple Access ）（ＯＦＤＭ）通信システム等の任意の無線遠隔通信システムに従って動作してもよい、ということを認める。
【００２３】
図２は、本発明の一実施形態によるＭＳ１０１〜１０３等の移動局（ＭＳ）のブロック図である。複数のＭＳ１０１〜１０３の各ＭＳは、１つまたは複数のマイクロプロセッサ、マイクロコントローラ、デジタル信号プロセッサ（ＤＳＰ）、それらの組合せ、または当業者には既知の他のかかるデバイス等のプロセッサ２０４に結合されたユーザインタフェース２０２を有する。各ＭＳは、プロセッサが実行することができるデータおよびプログラムを格納する、ランダムアクセスメモリ（ＲＡＭ）、ダイナミックランダムアクセスメモリ（ＤＲＡＭ）、および／またはリードオンリメモリ（ＲＯＭ）もしくはそれらの等価物等、プロセッサ２０４に関連する１つまたは複数のメモリデバイス２０６をさらに有する。各ＭＳは、各々がプロセッサ２０４に結合される、ＤＴＭＦ信号を生成するＤＴＭＦ発生器２１２と、ＤＴＭＦ信号に応答するＤＴＭＦ検出器２１４と、マイクロフォン２１８と、スピーカ２２０と、をさらに有する。本発明の別の実施形態では、各ＭＳは、ＴＴＹ／ＴＴＤ（TeleTYpewriter/Telecommunications Device for the Deaf ）信号を生成するＴＴＹ／ＴＴＤ発生器２２２と、ＴＴＹ／ＴＴＤ信号に応答するＴＴＹ／ＴＴＤ検出器２２４と、をさらに有してもよい。
【００２４】
ユーザインタフェース２０２は、ＭＳに命令を入力することを含む、ＭＳと対話する能力をＭＳのユーザに提供する。本発明の一実施形態では、ユーザインタフェース２０２は、表示画面と、プッシュ・トゥ・トーク（ＰＴＴ）キーを含む複数のキーを有するキーパッドと、を有する。本発明の別の実施形態では、ユーザインタフェース２０２は、タッチスクリーンを備える表示画面を有し、タッチスクリーンは、タッチスクリーン上にユーザが触れた位置（すなわち、Ｘ座標およびＹ座標）を求めその位置データをプロセッサ２０４に伝達することができる。そして、プロセッサ２０４は、位置データに基づき、ユーザ
の接触を命令に変換する。好ましくは、表示画面は、従来の電話キーパッドのキーに対応し、さらにはＰＴＴソフトキーを含む、複数のソフトキーを備える「キーパッド」画面を表示してもよい。
【００２５】
メモリデバイス２０６は、ＭＳに一意に関連するＭＳ識別子を格納する。メモリデバイス２０６はさらに、移動局およびトークグループデータベース２０８を有するか、またはそれらに結合される。データベース２０８は、通信システム１００のサービスに加入する１つまたは複数の他のＭＳに関連するＭＳ識別子を格納する。ＭＳ識別子を、データベース２０８に事前にプログラムしてもよく、またはＭＳのユーザがデータベースに追加してもよい。ＭＳがトークグループのメンバである場合、データベース２０８はさらに、トークグループに関連して、トークグループ識別子およびＭＳ識別子の関連するリストを格納し、その場合、ＭＳ識別子のリスト中の各ＭＳ識別子は、トークグループのメンバであるＭＳに対応する。さらに、メモリデバイス２０６は、ＭＳの動作を容易にする命令を、エミュレートされたディスパッチモードでまたは相互接続モードで格納し、さらに、後により詳細に説明するように、サービスオプション（ＳＯ）値と、インバンド信号方式に対して使用されるＤＴＭＦトーンに対応する値と、を格納することを含む、通信システム１００で動作するために必要なすべての機能をＭＳが実行することができるようにする命令およびデータを格納する。
【００２６】
本発明の一実施形態では、ＭＳのユーザは、トークグループに関連するＭＳ識別子のリストをコンパイルすることによりトークグループを作成してもよく、ＭＳは、トークグループに関連するトークグループ識別子を割り当てる。そして、トークグループの作成者は、トークグループから１つまたは複数のメンバを削除することにより、またはトークグループに１つまたは複数のメンバを追加することにより、トークグループを編集してもよい。トークグループの作成者がトークグループを作成または編集する場合、関連するＭＳは、トークグループ識別子と、関連するＭＳ識別子のリストと、をＭＳＣ１３０に伝達する。本発明の別の実施形態では、通信システム１００は、ＭＳＣ１３０にまたは各ＣＢＳＣ１２１〜１２３に動作可能に結合され、本明細書においてトークグループの作成および変更に関連するＭＳＣ１３０の機能を実行する、ディスパッチアプリケーションサーバ（Dispatch Applications Server）をさらに有してもよい。そして、ＭＳＣ１３０は、トークグループ識別子と関連するＭＳ識別子のリストとを、トークグループの各メンバに転送する。トークグループのメンバである各ＭＳは、トークグループ識別子と関連するＭＳ識別子のリストとを受け取ると、トークグループ識別子を関連するＭＳ識別子のリストに関連して受取側ＭＳのデータベース２０８に格納する。本発明の別の実施形態では、トークグループ識別子と関連するＭＳ識別子のリストとを、ＭＳのベンダがＭＳに事前にプログラムしてもよい。
【００２７】
図３は、本発明の一実施形態により、ＭＳ１０１等のトークグループ作成者がトークグループ１０４等のトークグループを作成することができるようにする方法を示す論理フローチャート３００である。論理フローチャート３００は、ＭＳ１０１のユーザが、ユーザインタフェース２０２の表示画面に現れる他のユーザのメニューから、トークグループのメンバとなるＭＳ１０２および１０３等の１人または複数のユーザを選択する（３０２）と開始する。各リスト化されたユーザに関連するＭＳ識別子が、ＭＳ１０１のデータベース２０８に格納されていることが好ましい。ＭＳ１０１は、トークグループの各メンバに関連するＭＳ識別子を、トークグループの他のメンバに関連するＭＳ識別子と関連付ける（３０４）。ＭＳ１０１は、トークグループにトークグループ識別子を割り当て、各メンバのＭＳ識別子に関連してトークグループ識別子をデータベース２０８に格納する（３０６）ことにより、ＭＳ識別子を互いに関連付けることが好ましい。しかしながら、トークグループが１つのＭＳしか含まない場合、トークグループにトークグループ識別子を割り当てる必要のない場合がある。また、ＭＳ１０１は、トークグループに関するトークグル
ープ情報を、逆方向リンク制御チャネル、すなわち制御チャネル１４８を介してＭＳＣ１３０に伝達する（３１０）。トークグループ情報は、選択された１つまたは複数のＭＳに対応するＭＳ識別子および／または任意の関連するトークグループ識別子を含むことが好ましい。
【００２８】
ＭＳＣ１３０は、ＭＳ１０１からトークグループ情報を受け取ると、そのトークグループ情報を、新たに作成されたトークグループに含まれる各ＭＳ、すなわちＭＳ１０２および１３０に、それぞれの順方向リンク制御チャネル１５２、１６２を介して転送する。各トークグループメンバ、すなわちＭＳ１０２および１０３は、トークグループ情報を受け取ると、ＭＳのデータベース２０８に、トークグループ情報、すなわちＭＳ識別子および／または関連するトークグループ識別子を格納する（３１２）。
【００２９】
トークグループの作成者、すなわちＭＳ１０１により、トークグループの以後のあらゆる変更が制御される（３１４）ことが好ましい。たとえば、トークグループ作成者のみが、トークグループに新たなメンバを追加するか、またはトークグループから現メンバを削除することができる。トークグループ作成者は、トークグループのメンバ構成を変更する場合、トークグループメンバの新たなリスト（すなわち、トークグループメンバに関連するＭＳ識別子）および関連するトークグループ識別子等の新たなトークグループ情報を、任意の削除されたメンバおよび／または追加されたメンバを含むトークグループメンバに伝達する。
【００３０】
各トークグループメンバＭＳ１０２、１０３は、新たなトークグループ情報、すなわちトークグループ識別子および関連するＭＳ識別子を受け取ると、そのＭＳに含まれるデータベース２０８を検査して、そのトークグループ識別子がデータベースにすでに格納されているか否かを判断する。データベースにトークグループ識別子が格納されており、そのＭＳがトークグループから削除されている場合、ＭＳは、トークグループ識別子および関連するＭＳ識別子をそのＭＳのデータベース２０８から削除する。データベースにトークグループ識別子が格納されており、ＭＳがトークグループから削除されていない場合、ＭＳは、関連するＭＳ識別子の受け取ったリストに従ってデータベースに格納されている関連するＭＳ識別子のリストを編集してもよく、またはＭＳは、関連するＭＳ識別子の格納されたリストを、ＭＳ識別子の受け取ったリストによって上書きしてもよい。ＭＳのデータベース２０８にトークグループ識別子が格納されていない場合、ＭＳは、ＭＳ識別子の受け取ったリストに従って、受け取ったトークグループ識別子をデータベースに格納する。
【００３１】
通信システム１００は、ＭＳ１０１等のＭＳがトークグループを作成し管理することができるようにすることにより、基礎となるネットワーク、すなわちインフラストラクチャ１３４に透過的であり、かつ実施している通信システムに対して課すオーバーヘッドが最小であるトークグループ管理を提供する。インフラストラクチャに透過的であるトークグループの作成および管理を提供することにより、トークグループシステムを、相互接続サービスのみを提供しディスパッチサービスは提供しないすでに存在するＣＤＭＡ通信システム等のレガシ通信システムにおいてインフラストラクチャを変更することなく実施することができる。
【００３２】
ここで図４Ａ、図４Ｂおよび図４Ｃを参照すると、本発明の一実施形態による通信システム１００によって提供される即時アクセス呼サービスを示す論理フローチャート４００が提供されている。即時アクセス音声呼を、通信システム１００の任意のＭＳ１０１〜１０３により、通信システムの他の任意のＭＳあるいはユーザ、またはＭＳあるいはユーザの任意のグループと設定してもよい。たとえば、わずか２メンバしか含まない可能性のあるトークグループを作成する場合、トークグループ１０４に関するＭＳ１０１〜１０３の
任意のもの等、トークグループの任意のメンバが、トークグループの他のメンバとの即時アクセス音声呼を発呼することができる。
【００３３】
通信システム１００において、即時アクセス呼サービスにより、発呼側ＭＳのユーザは、音声呼の２つのモードのいずれか、すなわち、ディスパッチ音声呼のエミュレーションを含む音声呼の第１のモード、または混成ディスパッチ／相互接続音声呼を含む音声呼の第２のモードのうちのいずれかを迅速に確立することができる。エミュレートされたディスパッチ呼は、即座に設定することができる相互接続呼を含み、そこでは、ディスパッチ呼と同様に、一度に呼における１人の参加者のみが発話する、すなわち音声を送信することができる。たとえば、エミュレートされたディスパッチ呼の１バージョンでは、任意の特定の時点で、１人の参加者のマイクロフォン２１８のみが使用可能であり、他の参加者のマイクロフォン２１８は使用不能であって、かかる参加者のスピーカ２２０は使用可能である。混成ディスパッチ／相互接続呼は、ディスパッチ呼と同様に即座に設定することができるがその後相互接続呼として続行する相互接続呼を含む。さらに、後により詳細に説明するように、通信システム１００はさらに、エミュレートされたディスパッチ呼の相互接続に対する設定の交渉と、混成ディスパッチ／相互接続呼のエミュレートされたディスパッチ呼に対する設定の交渉と、を提供する。
【００３４】
論理フローは、ＭＳ１０１等の発呼側ＭＳが、ＭＳのユーザから即時アクセス音声呼を開始したいというユーザ要求を受け取る（４０４）と開始する（４０２）。ユーザは、ユーザインタフェース２０２に含まれるキーパッドの単一キーを単に押すかまたはそれに触れることにより、ユーザ要求をＭＳに入力することが好ましい。たとえば、ユーザは、即時アクセス音声呼の複数のモードのうちの１つに関連する発呼側ＭＳ１０１のユーザインタフェース２０２に含まれるキーを押下するかまたはソフトキーに触れてもよい。ＭＳ１０１のユーザは、各々が異なるモードに対応する複数のキーから選択することができることが好ましい。たとえば、ユーザは、複数のキーのうちの第１のキーを押下するかまたは第１のソフトキーに触れることにより、即時アクセス音声呼に対し「ディスパッチのみ」モード（すなわち、エミュレートされたディスパッチモード）等の第１のモードを提案してもよく、複数のキーのうちの第２のキーを押下するかまたは第２のソフトキーに触れることにより、即時アクセス音声呼に対し「ディスパッチ／相互接続」モード（すなわち、混成ディスパッチ／相互接続モード）等の第２のモードを提案してもよい。本発明の別の実施形態では、ユーザは、ユーザインタフェース２０２の表示画面に現れるメニューから、「ディスパッチのみ」音声呼に対応するテキストまたは「ディスパッチ／相互接続」音声呼に対応するテキストを選択することにより、即時アクセス呼を開始してもよい。
【００３５】
本発明の一実施形態では、発呼側ＭＳを、所定のＭＳまたはトークグループ１０４等のＭＳのグループとの即時アクセス音声呼を設定するように事前にプログラムしてもよく、その所定のＭＳまたはＭＳのグループは、ＭＳのメモリデバイス２０６および／またはデータベース２０８に格納されている。本発明の別の実施形態では、発呼側ＭＳのユーザは、呼をともに設定するユーザまたはユーザのグループを選択してもよい。たとえば、ユーザ、すなわちユーザのＭＳが複数のトークグループのメンバである場合、即時アクセス音声呼を開始したいと望むユーザによる指示に応じて、ＭＳは、そのユーザに対し、ユーザインタフェース２０２の表示画面上に複数のトークグループのメニューを提示してもよい。そして、ユーザは、表示されたトークグループのメニューからトークグループを選択してもよい。本発明の別の実施形態では、ユーザは、トークグループを選択する代りに、表示画面に表示されるメニューから、ユーザが即時アクセス音声呼にともに参加したい１つまたは複数のターゲットＭＳを選択してもよい。
【００３６】
発呼側ＭＳ１０１は、即時アクセス音声呼を開始したいというユーザ要求を受け取ることに応じて、インフラストラクチャ１３４に伝達される即時アクセス音声呼を開始したい
という要求を生成する（４０６）。ＭＳ１０１によって生成される要求は、ターゲットユーザ、すなわちＭＳを識別し、呼の提案されたモードを通知する、すなわちディスパッチのみの呼またはディスパッチ／相互接続呼のどちらが提案されているかを通知する、即時アクセス呼発呼メッセージを含むことが好ましい。呼発呼メッセージは、発呼側ＭＳ１０１がディスパッチのみの呼に対する「ＮＮ」等の第１のサービスオプション（ＳＯ）値か、またはディスパッチ／相互接続呼に対する「ＭＭ」等の第２のサービスオプション値を埋め込む、サービスオプション（ＳＯ）データフィールドを含む、レイヤ３呼発呼メッセージであることが好ましい。レイヤ３呼発呼メッセージは、トークグループ識別子および／または１つまたは複数のターゲットとされる者を識別するＭＳ識別子をさらに含む。発呼側ＭＳ、すなわちＭＳ１０１は、逆方向リンクアクセスチャネル、すなわちアクセスチャネル１４６と、発呼側ＭＳにサービスを提供するＢＳＳ、すなわちＢＳＳ１１１と、を介して、呼発呼メッセージをインフラストラクチャ１３４に伝達する（４０８）。
【００３７】
インフラストラクチャ１３４は、呼発呼メッセージを受け取る（４１０）と、発呼側ＭＳ１０１にサービスを提供するＭＳＣ、すなわちＭＳＣ１３０に対してメッセージをルーティングする。ＭＳＣ１３０は、ＭＳＣのメモリに呼発呼メッセージを格納する。ＭＳＣ１３０は、呼発呼メッセージに基づいて、ターゲットとされるＭＳを確定する（４１２）。ＭＳＣ１３０は、さらに、ロケーションデータベース１３２を参照することにより、ＭＳ１０２および１０３等の各ターゲットとされるＭＳのロケーションを確定する。そして、ＭＳＣ１３０は、ターゲットとされるＭＳにサービスを提供する各ＣＢＳＣ、すなわちＣＢＳＣ１２２、１２３に対し、ＣＢＳＣがサービスを提供するターゲットとされるＭＳに即時アクセスページングメッセージをブロードキャストするように信号伝達する（signal）。そして、各ＣＢＳＣ１２２、１２３は、この命令に応じて、それぞれのページングチャネル１５１、１６１を介して即時アクセスページングメッセージをブロードキャストする（４１４）。即時アクセスページングメッセージは、ＣＢＳＣがサービスを提供するターゲットとされるＭＳを識別し、即時アクセス呼が要求されていることを通知し、即時アクセス呼の提案されたモードを通知する。各即時アクセスページングメッセージは、ページングメッセージをブロードキャストしているＣＢＳＣがサービスを提供するターゲットとされるＭＳのＭＳ識別子を含むデータパケットを含むことが好ましい。本発明の別の実施形態では、トークグループがページングされている場合、即時アクセスページングメッセージは、ＭＳ識別子に加えてまたはその代わりにトークグループ識別子を含んでもよい。各即時アクセスページングメッセージは、サービスオプション（ＳＯ）データフィールドをさらに含み、ＭＳＣ１３０またはブロードキャストしているＣＢＳＣは、このＳＯデータフィールドに、ディスパッチのみの呼に対する「ＮＮ」というＳＯ値またはディスパッチ／相互接続呼に対する「ＭＭ」というＳＯ値等、呼に対する提案されたモードに対応するＳＯ値を埋め込む。
【００３８】
さらに、ＭＳＣ１３０は、発呼側ＭＳ１０１から呼発呼メッセージを受け取ると、発呼側ＭＳにサービスを提供しているＣＢＳＣ、すなわちＣＢＳＣ１２１に対し、発呼側ＭＳにサービスを提供しているＢＳＳ、すなわちＢＳＳ１１１においてそのＭＳに順方向リンクトラフィックチャネル１４３および逆方向リンクトラフィックチャネル１４８を割り当てるように命令し、ＣＢＳＣはそれを割り当てる（４１６）。本発明の他の実施形態では、トラフィックチャネル１４３および１４８を、ＭＳＣ１３０またはＢＳＳ１１１によって割り当ててもよい。そして、インフラストラクチャ１３４、好ましくはＭＳＣ１３０またはＣＢＳＣ１２１は、発呼側ＭＳ１０１のユーザに対し、割り当てられた順方向リンクトラフィックチャネルによりリングバックトーンを発することにより、または、リングバックトーンが発呼側ＭＳに格納されている場合は、発呼側ＭＳに対してリングバックトーンを発するように命令することにより、インフラストラクチャがターゲットＭＳとの接続を確立しようと試みていることを警告する（４１８）。リングバックトーンは、発呼側ＭＳのユーザに対し、そのＭＳが１つまたは複数のターゲットＭＳからの応答を待っている
間に発せられる。しかしながら、本発明の別の実施形態では、後により詳細に説明するように、ＭＳＣ１３０は、ターゲットＭＳから肯定応答を受け取るまで、リングバックトーンを発しなくてもよく、また発呼側ＭＳに対してリングバックトーンを発するように命令しなくてもよい。
【００３９】
本発明の別の実施形態では、ＭＳ１０１等の発呼側ＭＳのユーザは、キーを押下するかまたはソフトキーに触れる代わりに、「１−８８８−ｘｘｘ−ｘｘｘｘ」等の即時アクセス電話番号をユーザのＭＳに入力することにより、即時アクセス呼を発呼してもよい。たとえば、第１の即時アクセス電話番号は、即時アクセス音声呼の第１のモード、すなわちディスパッチのみの呼に対応してもよく、第２の即時アクセス電話番号は、即時アクセス音声呼の第２のモード、すなわちディスパッチ／相互接続呼に対応してもよい。発呼側ＭＳ１０１は、即時アクセス電話番号を受け取ることに応じて、ダイヤルされた番号と発呼側ＭＳに関連するＭＳ識別子とを含むデータパケットを含む呼発呼メッセージを組み立てる。呼のターゲットがユーザのグループである場合、データパケットは、関連するトークグループ識別子をさらに含んでもよい。そして、ＭＳ１０１は、データパケットをインフラストラクチャ１３４に伝達する。
【００４０】
インフラストラクチャ１３４は、呼発呼メッセージを受け取ると、データパケットをＭＳＣ１３０にルーティングする。ＭＳＣ１３０は、メッセージに含まれるダイヤルされた電話番号に基づき、呼が即時アクセス呼であると判断し、さらに、呼の要求されたモードを確定する。上述したように、ＭＳＣ１３０は、ＭＳＣのメモリに呼発呼メッセージを格納し、呼発呼メッセージに基づきかつロケーションデータベース１３２を参照して、ＭＳ１０２および１０３等の各ターゲットとされたＭＳのロケーションを確定する。そして、ＭＳＣ１３０は、ターゲットとされたＭＳにサービスを提供している各ＣＢＳＣ、すなわちＣＢＳＣ１２２、１２３に対し、そのＣＢＳＣがサービスを提供しているターゲットとされたＭＳに即時アクセスページングメッセージをブロードキャストするように信号伝達する。そして、各ＣＢＳＣ１２２、１２３は、命令に応じて、即時アクセスページングメッセージをブロードキャストする。上述したように、各即時アクセスページングメッセージは、ページングメッセージをブロードキャストしているＣＢＳＣによってサービスを提供されるターゲットとされたＭＳのＭＳ識別子を含み、さらにはＭＳＣ１３０またはＣＢＳＣが呼の提案されたモードに対応するＳＯ値を埋め込むＳＯデータフィールドを含む、データパケットを含む。トークグループがページングされている場合、即時アクセスページングメッセージは、ＭＳ識別子に加えてまたはその代わりにトークグループ識別子を含んでもよい。
【００４１】
各ターゲットＭＳ１０２、１０３は、即時アクセスページングメッセージを受け取る（４２０）と、メッセージに含まれるＭＳ識別子および／またはトークグループ識別子を参照することにより、ターゲットＭＳが即時アクセスページングメッセージの意図された受信者であるか否かを判断する（４２２）。ターゲットＭＳが即時アクセス音声呼機能を有する場合（４２４）、ターゲットＭＳはまた、即時アクセスページングメッセージのＳＯデータフィールドに埋め込まれた値に基づき、ＭＳが即時アクセス音声呼に参加するように要求されていると判断し、呼に対する提案されたモード、すなわちディスパッチのみの呼またはディスパッチ／相互接続呼のどちらが要求されているかを確定する（４２６）。そして、各ターゲットＭＳ１０２、１０３は、即時アクセス音声呼の提案されたモードを受け入れるか否かを判断する（４２８）。
【００４２】
本発明の一実施形態では、ターゲットＭＳは、要求を受け入れるか拒絶するかを自動的に判断してもよい。たとえば、エミュレートされたディスパッチ呼に参加する機能のないターゲットＭＳは、ディスパッチのみの音声呼を設定したいという要求を自動的に拒絶してもよく、ディスパッチ／相互接続呼を設定したいという要求を自動的に受け入れてもよ
い。別の例として、ディスパッチ音声呼と相互接続呼との両方に参加することができるターゲットＭＳは、提案されたモードに関わりなく、任意の即時アクセス呼設定要求を自動的に受け入れてもよい。自動応答を、ベンダがＭＳにプログラムし、またはユーザがＭＳにプログラムしてもよく、あるいは応答によってはベンダがプログラムし、応答によってはユーザがプログラムしてもよい。
【００４３】
本発明の別の実施形態では、ターゲットＭＳは、即時アクセスページングメッセージが即時アクセス音声呼に関係すると判断すると、応答する前に最初にＭＳのユーザに問い合わせてもよい。たとえば、ターゲットＭＳは、ユーザに対し即時アクセスページングメッセージの受取りを音声によりまたは視覚的に警告してもよい。ＭＳは、ユーザインタフェース２０２に含まれる表示画面に、即時アクセスページングメッセージに基づいていずれが適当であるとしても、ユーザがディスパッチのみの音声呼またはディスパッチ／相互接続音声呼に参加したいか否かに関し、ユーザに対して問い合わせ、提案される応答のメニューを提供する、テキストメッセージを提示してもよい。そして、ユーザは、メニューから応答を選択することにより所望の応答を入力する。
【００４４】
ターゲットＭＳ１０２、１０３は、即時アクセスページングメッセージに応答すると判断すると、またはユーザから応答を受け取ると、即時アクセスページ応答を組み立て、インフラストラクチャ１３４に伝達する（４３０、４３８）。即時アクセスページ応答は、ターゲットＭＳユーザの判断を通知する特別サービスオプション（ＳＳＯ）データフィールドを含むＳＳＯ拡張を含む。たとえば、ページ応答のＳＳＯデータフィールドに、ユーザが呼の提案されたモードを受け入れる場合は「１」の値を有するビットを埋め込み、ユーザが呼の提案されたモードを拒絶する場合は「０」のビット値を埋め込んでもよい。
【００４５】
本発明の別の実施形態では、即時アクセスページングメッセージが、発呼側ＭＳ１０１が、ターゲットＭＳが参加することができないかまたは参加することを望まない、ディスパッチのみの音声呼等のモードを提案したことを通知した場合、ターゲットＭＳは、ページングメッセージに応答しなくてもよく（４４８）、さらにはターゲットＭＳのユーザに対しページングメッセージの受取りを通知しなくてもよい。
【００４６】
インフラストラクチャ１３４は、即時アクセスページ応答を受け取ると、ページ応答をＭＳＣ１３０にルーティングする。ＭＳＣ１３０は、即時アクセスページ応答４１３のＳＳＯデータフィールドに埋め込まれた値に基づいて、ターゲットＭＳが即時アクセス呼の提案されたモードを受け入れたか否かを判断する（４３２、４４０）。ＭＳＣ１３０が、各ターゲットＭＳから受け取られたページ応答に基づき、または第１の所定期間内にインフラストラクチャが各ターゲットＭＳから応答を受け取れなかったことに基づき、提案された即時アクセス音声呼が任意のターゲットＭＳ１０２、１０３によって受け入れられなかったと判断した場合（４４０）、提案された即時アクセス音声呼は実現しなくてもよい。ＭＳＣ１３０は、呼を破棄してもよい（４４２）。ＭＳＣ１３０はまた、発呼側ＭＳ１０１に対しビジートーンを返してもよく（４４４）、またはビジートーンが発呼側ＭＳに格納されている場合は、発呼側ＭＳに対しビジートーンを発するように命令してもよい。任意のターゲットＭＳにより要求が受け入れられず、単一のターゲットＭＳしかない場合、ＭＳＣ１３０はまた、発呼側ＭＳ１０１をターゲットＭＳに対する音声メールに向けてもよい（４４６）。
【００４７】
本発明の別の実施形態では、発呼側ＭＳ１０１によって提案されたモードがディスパッチ／相互接続呼であり、ＭＳＣ１３０が、要求が任意のターゲットＭＳ１０２、１０３によって受け入れられなかったと判断した（４４０）場合、ＭＳＣ１３０は、旧来の相互接続音声呼について、ＭＳＣと発呼側ＭＳとの間、およびＭＳＣとターゲットＭＳとの間の交渉を開始してもよい（４５５）。かかる場合、ＭＳＣ１３０は、呼の設定中に順方向リ
ンクおよび逆方向リンクトラフィックチャネルをターゲットＭＳに割り当てる。呼が設定され、ターゲットＭＳのユーザが口頭で呼に回答する場合、旧来の相互接続音声呼が開始してもよい。その場合、発呼側ＭＳのユーザに対して発話許可トーン（Talk Permit Tone）（ＴＰＴ）トーンを発する必要はない。
【００４８】
本発明のさらに別の実施形態では、ターゲットＭＳは、ディスパッチのみの呼等の呼の提案されたモードに参加することができないかまたは参加することを望まない場合、即時アクセス呼の提案されたモードを拒絶する即時アクセスページ応答を伝達するかまたはまったく応答しない代りに、即時アクセス呼に対しディスパッチ／相互接続モード等の異なるモードを提案する（４５０）ことにより、即時アクセスページングメッセージに応答してもよい。すなわち、かかる例では、ターゲットＭＳは、発呼側ＭＳ１０１との呼の異なるモード、すなわちディスパッチ／相互接続モードを開始するように要求する即時アクセス呼発呼メッセージをインフラストラクチャ１３４に伝達することにより、即時アクセスページングメッセージに応答してもよい。そして、通信システム１００は、本明細書において図４に関して説明した即時アクセス呼設定手続きを介してＭＳ１０２とＭＳ１０１との間のディスパッチ／相互接続呼を設定する（４５２）ように試みる。すなわち、インフラストラクチャ１３４、特にＭＳＣ１３０は、ターゲットＭＳから即時アクセス呼発呼メッセージを受け取ると、好ましくは、発呼側ＭＳが即時アクセス呼に対する異なるモードを受け入れるか否かに関し、ページングメッセージを発呼側ＭＳに伝達することにより、発呼側ＭＳ１０１に問い合わせる。そして、発呼側ＭＳ１０１は、ページングメッセージに対するあり得る応答に関して本明細書で説明する方法のうちの任意の１つでページングメッセージに応答してもよい。
【００４９】
本発明のさらに別の実施形態では、ターゲットＭＳに即時アクセス音声呼を設定する機能がないか、または発呼側ＭＳによって、ディスパッチのみのモードの即時アクセス音声呼が提案されており、ターゲットＭＳがエミュレートされたディスパッチ呼に参加することができない場合、ターゲットＭＳは、旧来の相互接続呼に戻るように交渉する（４５４）よう試みてもよい。
【００５０】
本発明のさらに別の実施形態では、ＭＳＣ１３０は、移動局データベース１３６を有してもよくまたはそれに動作可能に結合されてもよい。移動局データベース１３６は、通信システム１００に含まれる各ＭＳ１０１〜１０３のプロファイルを格納し、そのプロファイルは、関連するＭＳ識別子と、ＭＳが加入するサービスと、ディスパッチのみの呼およびディスパッチ／相互接続呼等、ＭＳが利用可能なサービスオプションと、を含む。発呼側ＭＳ１０１により、即時アクセス音声呼のディスパッチのみの呼等の第１のモードが提案され、ＭＳＣ１３０が、任意のターゲットＭＳ１０２、１０３によって要求が受け入れられなかったと判断した（４４０）場合、ＭＳＣは、データベース１３６に格納されている発呼側ＭＳのプロファイルを再検討してもよい。プロファイルに代替サービスオプションが列挙されていない場合、ＭＳＣは、呼を破棄し（４４２）、発呼側ＭＳ１０１に対してビジートーンが戻されるように準備する（４４４）かまたは発呼側ＭＳ１０１をターゲットＭＳに対する音声メールに向ける（４４６）。プロファイルに、即時アクセス音声呼のディスパッチ／相互接続モード等の代替サービスオプションが列挙されている場合、ＭＳＣ１３０は、発呼側ＭＳにおいて呼に対するＳＯを変更するようにサービス交渉を実行することができる（４４８）。
【００５１】
ＭＳＣ１３０は、ターゲットＭＳ１０２、１０３が即時アクセス呼に対する提案されたモードを受け入れたと判断した（４３２）場合、対応するＣＢＳＣ１２２、１２３に対し、ターゲットＭＳにそれぞれのＢＳＳ１１２、１１３においてそれぞれの順方向リンクトラフィックチャネル１５３、１６３およびそれぞれの逆方向リンクトラフィックチャネル１５８、１６８を割り当てる（４３４）ように命令する。ＣＢＳＣは、トラフィックチャ
ネルを割り当てると、割り当てられたトラフィックチャネルを通知する信号方式メッセージを対応するターゲットＭＳに伝達する（４３６）。要求を受け入れたターゲットＭＳ１０２、１０３は、割り当てられたトラフィックチャネルを通知する信号方式メッセージを受け取ると、ＭＳのマイクロフォン２１８をミュートするかまたは使用不能にし（４５６）、ターゲットＭＳが音声を受信することしかできず送信することはできないエミュレートされたディスパッチモードに入る。即時アクセス呼が３人以上の者を含む場合、ＭＳＣ１３０はまた、各参加しているＭＳを会議ブリッジ（conference bridge ）に結合してもよい（４５８）。この会議ブリッジは、ＭＳＣに含まれるかまたはＭＳＣに動作可能に結合されるアプリケーションプラットフォームの一部である。参加しているＭＳは各々、トラフィックチャネルが参加しているＭＳに割り当てられた後の任意の時点で、会議ブリッジに結合されてもよい。
【００５２】
さらに、ＭＳＣ１３０は、ターゲットＭＳ１０２、１０３が即時アクセス音声呼に対し提案されたモードを受け入れたと判断すると、発呼側ＭＳ１０１にサービスを提供しているＣＢＳＣ、すなわちＣＢＳＣ１２１に対し、即時アクセス呼が確立されていることを信号伝達する。本発明の別の実施形態では、ＭＳＣ１３０は、呼発呼メッセージ４０５を受け取ると、リングバックトーンを発しなくてもよく、または発呼側ＭＳ１０１に対してリングバックトーンを発するように命令しなくてもよい。代りに、ＭＳＣ１３０、またはＭＳＣ１３０から受け取られる信号に基づいてＣＢＳＣ１２１は、発呼側ＭＳのユーザに対し、ターゲットＭＳが即時アクセス音声呼を確立したいという要求を受け入れた後、リングバックトーンを発することにより、または発呼側ＭＳに対してリングバックトーンを発するように命令することにより、インフラストラクチャがターゲットＭＳとの接続を確立しようと試みていることを警告してもよい（４６０）。
【００５３】
ターゲットＭＳはさらに、即時アクセス呼を設定したいという要求を受け入れると判断すると、ＭＳに割り当てられた逆方向リンクトラフィックチャネル、発呼側ＭＳに割り当てられた順方向リンクトラフィックチャネル、およびインフラストラクチャ１３４を介して、１つまたは複数のＤＴＭＦトーンを発呼側ＭＳ１０１に伝達する（４６２）。ターゲットＭＳのプロセッサ２０４は、ＤＴＭＦ発生器２１２に対し、１つまたは複数のＤＴＭＦトーンを生成するように命令し、それに応じて、ＤＴＭＦ発生器は、ＤＴＭＦトーンまたはトーンのストリングを生成しそのトーンまたはトーンのストリングを送信することが好ましい。
【００５４】
１つまたは複数のＤＴＭＦトーンは、発呼側ＭＳ１０１に対し、ターゲットＭＳが即時アクセス呼を設定したいという要求を受け入れ呼に追加されたことを通知する役割を果たす。発呼側ＭＳ１０１は、ＤＴＭＦトーンを受け取ると、その受け取ったＤＴＭＦトーンをＤＴＭＦ検出器２１４にルーティングする。ＤＴＭＦ検出器２１４は、受け取られたＤＴＭＦトーンを値に変換し、その値をプロセッサ２０４にルーティングする。そして、プロセッサ２０４は、メモリデバイス２０６を参照して、その値の対応する意味を確定することができる。
【００５５】
発呼側ＭＳ１０１は、すべてのターゲットとされたＭＳからＤＴＭＦトーンを受け取ると、または第２の所定期間内に少なくとも１つのターゲットＭＳからＤＴＭＦトーンを受け取ると、好ましくは発話許可トーン（ＴＰＴ）をユーザに対して発することにより、発呼側ＭＳのユーザに対し、ユーザが発話を開始することができることを音声によりまたは視覚的に警告する（４６４）。発呼側ＭＳ、好ましくはＭＳのプロセッサ２０４は、ＭＳに含まれるタイマ２１６を参照して第２の所定期間を測定する。ＴＰＴに応じて、発呼側ＭＳ１０１のユーザは、発話を開始してもよい（４６６）。
【００５６】
ディスパッチのみの呼が設定されている場合、各ターゲットＭＳもまた、即時アクセス
呼に対する提案されたモードを受け入れＤＴＭＦ信号を発呼側ＭＳに送信すると、そのターゲットＭＳのユーザに対し、個人（またはグループ）呼受信トーン（Private (or Group) Call Received Tone ）（ＰＣＲＴ）を発する（４６８）。そして、ＰＣＲＴに続いてターゲットＭＳのスピーカ２２０により発呼側ＭＳのユーザから入来音声を受け取り（４７０）、呼はエミュレートされたディスパッチ呼として続行する（４７２）。すなわち、常に、１つのＭＳのみがそのマイクロフォン２１８をミュート解除するかまたは使用可能にし、音声データを送信することができ、呼における他のすべての参加者は、そのマイクロフォン２１８をミュートしまたは使用不能にし、音声データを受信することしかできない。即時アクセス音声呼が「ディスパッチ／相互接続」呼である場合、呼に追加された各ターゲットＭＳは、ＤＴＭＦ信号を発呼側ＭＳに送信すると、または呼の発呼者から音声を受け取ると、ターゲットＭＳのマイクロフォン２１８をミュート解除するかまたは使用可能にし（４７４）、呼は、相互接続呼として続行する（４７６）。本発明の別の実施形態では、マイクロフォンをミュート解除するかまたは使用可能にすることは、自動的でなくてもよい。代りに、ターゲットＭＳのユーザが、ＭＳに対し相互接続呼に戻るように命令するユーザインタフェース２０２に表示されるキーを押下することに応じて、マイクロフォンをミュート解除または使用可能にしてもよい。
【００５７】
ターゲットＭＳのグループが即時アクセス呼に参加するように要求される本発明の一実施形態では、発呼側ＭＳは、呼における各ターゲットＭＳの参加を個々に請求してもよい。すなわち、発呼側ＭＳは、各ターゲットＭＳに対する別々の呼発呼メッセージをインフラストラクチャ１３４に伝達してもよい。発呼側ＭＳは、同時にではなく連続して、別々の呼発呼メッセージを送出してもよく、その場合、それらの連続する呼発呼メッセージは、発呼側ＭＳが直前の呼発呼メッセージに関し応答ＤＴＭＦトーンをターゲットＭＳから受け取った後、または発呼側ＭＳによる直前の呼発呼メッセージの伝達の後に第３の所定期間が経過した後、または発呼側ＭＳが直前の呼発呼メッセージに関連するターゲットＭＳからビジートーンを取得した後、送信される。発呼側ＭＳ、好ましくはそのＭＳのプロセッサ２０４は、ＭＳに含まれるタイマ２１６を参照して第３の所定期間を測定する。発呼側ＭＳは、一度に１つずつ呼発呼メッセージを伝達することにより、発呼側ＭＳが応答ＤＴＭＦトーンを受け取る時にいずれのターゲットＭＳが応答しているかを判断することができる。
【００５８】
しかしながら、トークグループが大きい場合、トークグループのメンバの個々の請求は、厄介でありかつ非効率的である可能性がある。したがって、トークグループが３つ以上のＭＳを含む本発明の別の実施形態では、ＭＳ１０１等、即時アクセス呼を発生するＭＳは、トークグループの他のメンバ１０２、１０３の各々に対し、一意のＤＴＭＦトーンまたはＤＴＭＦトーンのストリングを割り当ててもよい。発呼側ＭＳ１０１は、対応するＭＳのＭＳ識別子に関連して、発呼側ＭＳのデータベース２０８に、各割り当てられたＤＴＭＦトーンまたはトーンのストリングを格納する。発呼側ＭＳは、呼発呼メッセージをインフラストラクチャ１３４に伝達する時、その呼発呼メッセージに、ＭＳの割り当てられた１つまたは複数のＤＴＭＦトーンに対応する値に関連して各ＭＳ識別子を含む。そして、インフラストラクチャ１３４が即時アクセスページングメッセージをターゲットＭＳに伝達する（４０８）場合、各即時アクセスページングメッセージは、各ターゲットＭＳに対し、ＭＳ識別子と、１つまたは複数の関連するＤＴＭＦトーンと、を含む。そして、各トークグループメンバ１０２、１０３は、即時アクセスページングメッセージを受け取ると、メンバのデータベース２０８に、受け取ったＭＳ識別子と、各識別子の関連する１つまたは複数のＤＴＭＦトーンと、を格納する。
【００５９】
ここで図３および図４を参照すると、本発明のさらに別の実施形態では、ＭＳ１０１等のＭＳがトークグループ１０４等のトークグループを作成すると、作成者は、トークグループの各メンバ１０１〜１０３に異なるＤＴＭＦトーンまたはトーンのストリングを割り
当ててもよい（３０８）。そして、割り当てられたＤＴＭＦトーンおよびそれらの関連するＭＳ識別子は、トークグループ作成者、すなわちＭＳ１０１により、トークグループの作成時にメンバに伝達されるトークグループの情報の一部としてインフラストラクチャ１３４を介してトークグループの他のメンバ、すなわちＭＳ１０２および１０３に伝達される。各トークグループメンバ、すなわちＭＳ１０１〜１０３は、対応するＭＳ識別子に関連して各割り当てられたＤＴＭＦトーンをメンバのデータベース２０８に格納する（３１４）。ＭＳが複数のトークグループのメンバである可能性があり、その結果各々に複数の識別するＤＴＭＦトーンが割り当てられる場合にいかなる可能性のある混乱をも回避するために、各ＭＳはさらに、データベース２０８に、各ＤＴＭＦトーンおよびＭＳ識別子に関連してトークグループ識別子を格納してもよく、そのトークグループ識別子はまた、各トークグループの作成時にＭＳによって受け取られるトークグループ情報に含まれる。ターゲットＭＳは、トラフィックチャネルの割当てを受け取ると、発呼側ＭＳによってターゲットＭＳに割り当てられたＤＴＭＦトーンを発呼側ＭＳに伝達してもよい（４６２）。発呼側ＭＳは、即時アクセス呼発呼メッセージをインフラストラクチャ１３４に伝達することに応じてターゲットのＤＴＭＦトーンを受け取る（４６４）場合、呼を受け入れかつ呼に加わったターゲットＭＳを特定することができる。
【００６０】
ＭＳ１０１等の発呼側ＭＳが、インフラストラクチャ１３４に呼発呼メッセージを伝達し、インフラストラクチャが、ターゲットＭＳをページングすることにより各ターゲットＭＳに呼を通知し、各ターゲットＭＳが、発呼側ＭＳに対しＤＴＭＦトーンを伝達することにより呼におけるターゲットＭＳの参加を発呼側ＭＳに通知することにより、ＭＳ１０１等の発呼側ＭＳがＭＳ１０２および１０３等の１つまたは複数のターゲットＭＳとの音声呼を開始することができるようにすることにより、通信システム１００は、ディスパッチユーザが要求する高速相互接続を可能にしＭＳ１０１〜１０３が典型的なディスパッチ無線電話であることを必要としない即時アクセス音声呼を設定するプロセスを提供する。このプロセスはさらに、ディスパッチタイプ（エミュレートされたディスパッチ）および相互接続（混成ディスパッチ／相互接続）の両方の即時アクセス呼の設定を可能にし、ターゲットＭＳが、発呼側ＭＳによって要求される即時アクセス呼のモードに参加したくないかまたは参加することができない場合は、呼のモードの切替えを可能にする。プロセスはさらに、発呼側ＭＳが、いかなる即時アクセス呼機能をも有していないレガシＭＳとの即時アクセス呼を設定しようと試みる場合、旧来の相互接続呼の確立を可能にする。その結果、発呼側ＭＳは、最初にターゲットＭＳの機能を確定する必要なしに、かつターゲットＭＳが即時アクセス呼対応であることを必要とすることなく、システム１００内の任意のＭＳとの即時アクセス呼を確立しようと試みてもよい。発呼側ＭＳは、さらに、単一ターゲットＭＳとは対照的に、ターゲットＭＳのグループとの即時アクセス呼を設定してもよく、グループとのディスパッチタイプの即時アクセス呼またはグループとの相互接続即時アクセス呼を設定してもよく、後者の場合、グループのすべてのメンバを呼に接続するために会議ブリッジを利用してもよい。
【００６１】
発呼側ＭＳ、すなわちＭＳ１０１によって設定される即時アクセス呼がエミュレートされたディスパッチ呼である場合、通信システム１００は、任意の特定の時に、いずれのＭＳが話者であるか、すなわち音声データを送信する権利を有しているかを判断するために、フロア（発話特権（Talk prerogative）としても知られる）制御機構または話者調停機構を提供しなければならない。ここで図５を参照すると、信号フローチャート５００は、本発明の一実施形態による通信システム１００によるインバンドフロア制御の方式を示す。信号フローチャート５００は、呼に参加しているＭＳ１０２等のＭＳのユーザが通信セッションのフロアを確保したい時に開始する。ユーザは、フロアを確保したい要求を、好ましくはＭＳのユーザインタフェース２０２のキーを押下するかまたは好ましくはＰＴＴキーであるソフトキーに触れることにより、ユーザのＭＳに入力する（５０２）。ユーザのＭＳ、すなわちＭＳ１０２は、要求を受け取ること（５０２）に応じて、それらのそれ
ぞれのトラフィックチャネル１５８および１４３を介してインバンドフロア確保要求を発呼側ＭＳ１０１に伝達する（５０４）。フロア制御方式を、ＭＳ１０２によるフロア確保要求に関して説明するが、当業者は、発呼側ＭＳを含む通信セッションに参加する任意のＭＳにより、本方式がフロア確保要求に適用されることを理解する。
【００６２】
フロア確保要求は、少なくとも１つのＤＴＭＦトーンを含む。本発明の一実施形態では、ＤＴＭＦトーンは、単にＰＴＴキーに関連するＤＴＭＦトーンであってもよい。本発明の別の実施形態では、ＤＴＭＦトーンは、フロアを要求しているＭＳに割り当てられたＤＴＭＦトーンまたはＤＴＭＦトーンのストリングであってもよく、それにより、発呼側ＭＳに対し要求者のＭＳを特定する。本発明のさらに別の実施形態では、フロア確保要求はＤＴＭＦトーンのストリングを含んでもよく、そのストリングは、ストリングがフロア確保要求であることを示す１つまたは複数のＤＴＭＦトーンを含み、さらに要求者のＭＳに割り当てられた１つまたは複数のＤＴＭＦトーンを含む。少なくとも１つのＤＴＭＦトーンは、要求者のＭＳのプロセッサ２０４により少なくとも１つのＤＴＭＦに追加される誤り検出および誤り訂正ＤＴＭＦトーンをさらに含んでもよい。
【００６３】
発呼側ＭＳ１０１は、フロア確保要求を受け取ると、フロアが利用可能であるか否かを判断する（５０６）。発呼側ＭＳ１０１は、フロアが利用可能でない、たとえばディスパッチ呼に参加している別のＭＳに確保されていると判断すると、フロア確保要求に応答しなくてもよい（５０８）。本発明の別の実施形態では、発呼側ＭＳ１０１は、フロアが利用可能でないと判断した場合、トラフィックチャネル１４８および１５３を介して、フロアを確保したいという要求を許可できないというインバンドフロア制御メッセージを伝達してもよい。本発明の一実施形態では、発呼側ＭＳは、要求側ＭＳに対し、ＤＴＭＦトーンの所定ストリングを含むフロア制御メッセージ等、フロアを確保したいという要求を拒否するメッセージを伝達してもよい（５１０）。本発明の別のかかる実施形態では、発呼側ＭＳは、要求側ＭＳの識別子に対応しないかまたは呼に参加している任意のＭＳの識別子に対応しないＤＴＭＦトーンのストリングを含むメッセージ等、要求側ＭＳに対しフロアを許可しないメッセージを伝達してもよい（５１２）。
【００６４】
フロアが利用可能である場合、発呼側ＭＳは、要求を受け取ると、フロアを確保したいという要求を許可するインバンドフロア制御メッセージを、トラフィックチャネル１４８および１５３を介して要求側ＭＳ１０２に伝達する（５１４）。本発明の一実施形態では、許可は単に、発呼側ＭＳ１０１が受け取るＤＴＭＦトーンまたはＤＴＭＦトーンのストリングのエコーバックを含んでもよい。本発明の別の実施形態では、許可は、要求側ＭＳに一意に関連するＤＴＭＦトーンのストリングを含む別個のメッセージであってもよい。許可がインバンドで伝達されるため、発呼側ＭＳは、ディスパッチ呼に参加している各ＭＳに対して許可を伝達することができる。各ＭＳは、許可を受け取ると、ＭＳが許可の意図された受取者であるか否か、すなわち、ＭＳが許可に含まれるＤＴＭＦトーンに関連するか否かを判断する。要求者ＭＳは、それが許可の意図された受取者であると判断すると、ＭＳのユーザに対し、そのユーザにフロアが許可されたことを音声によりまたは視覚的に警告し（５１６）、ユーザは発話を開始することができる（５１８）。
【００６５】
本発明の別の実施形態では、ＭＳ１０２および１０３等、グループ呼に参加している複数のＭＳの各々は、ＤＴＭＦフロア確保要求を発呼側ＭＳ１０１に伝達することによりフロアを確保しようと同時に試みてもよい。複数のＭＳ１０２、１０３がフロアを確保しようと同時に試みる場合、各ＭＳが送信するフロア確保要求は衝突し、発呼側ＭＳ１０１が解読することができないＤＴＭＦトーンが誤伝送されることになる。各要求側ＭＳ１０２、１０３は、ＭＳの要求が誤伝送されたことを検出すると、ＭＳに含まれるタイマ２１６を参照することによって測定される期間にバックオフし、その後フロア確保要求を再送する。各要求側ＭＳ１０２、１０３がバックオフする時間は、ランダムであってもよく、ま
たは各ＭＳに対して事前に確定されかつ異なってもよい。たとえば、通信システム１００は、各ＭＳに対しバックオフおよび再送期間を確定するためにＡＬＯＨＡまたはスロット付きＡＬＯＨＡアルゴリズムを採用してもよい。
【００６６】
論理フローチャート５００においてＭＳ間で伝達される信号方式について、ＤＴＭＦトーンを含むように上述しているが、当業者は、ＭＳ間で伝達される信号方式が、本発明の精神および範囲から逸脱することなく、適当なインバンド信号方式トーン発生器によって生成され適当なインバンド信号方式トーン検出器によって検出される任意のインバンド信号方式トーンフォーマットを利用してもよい、ということを理解する。たとえば、本発明のさらに別の実施形態、すなわちＴＴＹ／ＴＴＤ実施形態では、図５によって示すインバンドフロア制御方式は、フロア確保要求のインバンド調停に対してＤＴＭＦトーンの代りにＴＴＹ／ＴＴＤ（TeleTYpewriter/Telecommunications Device for the Deaf ）トーンを利用してもよい。すなわち、ＴＴＹ／ＴＴＤ実施形態では、フロア確保要求と、フロアの確保を許可せず、フロアの確保に対する要求を拒絶し、フロアの確保を許可するメッセージと、の各々は、１つまたは複数のＤＴＭＦトーンの代りに、ＴＴＹ／ＴＴＤ発生器２２２が生成し対応するＭＳのＴＴＹ／ＴＴＤ検出器２２４が検出する１つまたは複数のＴＴＹ／ＴＴＤトーンを含んでもよい。
【００６７】
通信システム１００は、インバンド信号方式トーンを利用するエミュレートされたディスパッチ呼のインバンド制御を提供することにより、基礎となるネットワーク、すなわちインフラストラクチャ１３４に透過的であり、実施する通信システムに対して課すオーバーヘッドが最小である、効率的な高速フロア制御プロトコルを提供する。ここでもまた、フロア制御プロトコルは、基礎となるネットワークに透過的であるため、基礎となるネットワークのいかなる変更も必要とすることなくレガシシステムにおいて実施することができる。さらに、フロア制御プロトコルは、インバンド信号方式を利用するため、通信システム１００の制御チャネルに負荷を課すことなく、いかなる新たな制御チャネル信号の実施も必要としない。
【００６８】
即時アクセス通信セッション中時々、参加者は、エミュレートされたディスパッチ等の音声通信の現モードから相互接続等の音声通信の別のモードに、またはその逆に切り替わりたい場合がある。また、図４のステップ４５０に関して上述したように、即時アクセス通信セッションの設定中に、発呼側ＭＳが即時アクセス呼に対するサービス交渉を開始する場合があり、ターゲットＭＳが即時アクセス呼の異なるモードを提案することによって応答する場合がある。当業者は、音声通信のモードの切替えが望まれる場合がある他のシナリオがあり、これら２つの特定のシナリオに対する言及は、音声呼のモードの切替えが望まれかつ試みられるというシナリオを例示することが意図されており、決して本発明を限定するようには意図されていないということを理解する。ここで図６を参照すると、論理フローチャート６００は、本発明の一実施形態によるインバンド信号方式を介して通信セッションのモードを切り替える方式を例示する。論理フローチャート６００は、ＭＳ１０１等の要求側ＭＳがＭＳのユーザからモードを切り替えたいという要求を受け取る（６０４）と開始する（６０２）。たとえば、ディスパッチ呼に参加するユーザは、相互接続呼に切り替わるために、要求側ＭＳのユーザインタフェース２０２に含まれるキーパッドの「相互接続」キーを押下するかまたはソフトキーに触れることにより、モード切替え要求を入力してもよい。別の例として、相互接続呼に参加するユーザは、ディスパッチ呼に切り替わるために、要求側ＭＳのユーザインタフェース２０２に含まれるキーパッドの「ディスパッチ」キーを押下するかまたはソフトキーに触れることにより、モード切替え要求を入力してもよい。
【００６９】
ユーザがモード切替え要求を入力することに応じて、ユーザのＭＳ、すなわちＭＳ１０１、好ましくはプロセッサ２０４から受け取られる命令に応じるＤＴＭＦ発生器２１２は
、デュアルトーンマルチ周波数（Dual Tone Multi-Frequency ）（ＤＴＭＦ）トーンのモード切替えセットの１つまたは複数のトーンを発生する（６０６）。たとえば、ＤＴＭＦトーン「ＡＡ」等、ＤＴＭＦトーンのモード切替えセットの１つまたは複数の第１のトーンは、ディスパッチ呼から相互接続呼に切り替わりたいという要求に対応してもよい。ＤＴＭＦトーン「ＺＺ」等のＤＴＭＦトーンのモード切替えセットの１つまたは複数の第２のトーンは、相互接続呼からディスパッチ呼に切り替わりたいという要求に対応してもよい。
【００７０】
本発明の別の実施形態では、ＭＳは、ユーザが参加している呼のモードを認識していてもよく、通信セッションの現モードに基づいて適当なトーンを確定してもよい。ＭＳ１０１は、モードを切り替えるように確定すると、インフラストラクチャ１３４ならびに要求側ＭＳ１０１およびターゲットＭＳ１０２にそれぞれ割り当てられる逆方向リンクトラフィックチャネルおよび順方向リンクトラフィックチャネルを介して、呼に参加している他のＭＳ、たとえばＭＳ１０２に対し、レイヤ２信号方式としてモード切替え要求に対応するＤＴＭＦトーンを伝達する（６０８）。本明細書では、ＭＳ１０１を要求側ＭＳとして言及し、ＭＳ１０２をターゲットＭＳとして言及するが、これらのＭＳは、単に本発明の原理を例示する目的でそのように指定されており、当業者は、通信セッションの任意の参加者が音声通信の別のモードに切り替わるように要求してもよい、ということを理解する。
【００７１】
本発明のさらに別の実施形態では、ターゲットＭＳは、図４のステップ４２８に関して上述したように、即時アクセス音声呼に対する提案されたモードを受け入れないと判断する場合があり、図４のステップ４４８に関して上述したように、発呼側ＭＳの即時アクセス音声呼を開始したいという要求に応答しない場合があり、または図４のステップ４４０に関して上述したように、即時アクセス呼の提案されたモードを拒絶するページ応答により要求に応答する場合がある。かかるシナリオでは、インフラストラクチャ１３４は、図４のステップ４５５において説明したように、１つまたは複数のＤＴＭＦトーンを含むモード切替え要求を生成しそのモード切替え要求をＭＳ１０１に伝達することにより、即時アクセス呼のモードを切り替えるようにサービス交渉を実行してもよい。本発明のさらに別の実施形態では、ＭＳ１０２によって生成されるモード切替え要求は任意のフォーマットであってもよい。ＭＳ１０２によって生成されるモード切替え要求は、ＭＳによりインフラストラクチャ１３４に伝達される。インフラストラクチャ１３４は、ＭＳ１０２からモード切替え要求を受け取ると、１つまたは複数のＤＴＭＦトーンを含むモード切替え要求を生成しそのモード切替え要求をＭＳ１０１に伝達することにより、即時アクセス呼のモードを切り替えるようにサービス交渉を実行してもよい。ターゲットＭＳ１０２、好ましくはＭＳのプロセッサ２０４は、モード切替え要求に対応するＤＴＭＦトーンを受け取ると、ＤＴＭＦトーンに基づいて通信セッションのモードを切り替えるように要求されていると判断する（６１０）。受け取られたＤＴＭＦトーンはＤＴＭＦ検出器２１４にルーティングされることが好ましく、ＤＴＭＦ検出器２１４は、それら受け取られたＤＴＭＦトーンを対応する値に変換し、それら値をプロセッサ２０４にルーティングする。そして、プロセッサ２０４は、メモリデバイス２０６を参照して値の意味を確定する。ターゲットＭＳ１０２は、ＤＴＭＦトーンがモード切替え要求に対応すると判断すると、自動的に要求されたモードに切り替わり（６１２）、ＭＳ１０２のユーザに対しモードの切替えを通知する警告、好ましくは震音を生成する（６１４）。そして、論理フローは終了する（６３２）。ターゲットＭＳがモード切替え要求を受け取ると自動的に音声呼のモードを切り替える実施形態では、要求側ＭＳ１０１もまた、モード切替え要求を伝達すると音声呼のモードを切り替える。たとえば、通信セッションが、話者のマイクロフォン２１８のみが使用可能であるエミュレートされたディスパッチセッションである場合、ターゲットＭＳおよび要求側ＭＳは各々、各参加者のＭＳのマイクロフォン２１８とスピーカ２２０との両方が使用可能である典型的な相互接続通信セッションモードに切り替わる。別の例と
して、通信セッションが、エミュレートされたディスパッチセッションに切り替わっている相互接続セッションである場合、ターゲットＭＳおよび要求側ＭＳのいずれも、エミュレートされたディスパッチセッションモードへのフロア切替えを有しておらず、ＭＳのマイクロフォン２１８をミュートする。
【００７２】
本発明の別の実施形態では、ターゲットＭＳ１０２は、通信セッションのモードを切り替えるように要求されていると判断する（６１０）と、要求側ＭＳ１０２に、要求側ＭＳおよびターゲットＭＳの各々に割り当てられたトラフィックチャネルを介して、要求の受入れまたは拒絶等、モード切替え要求に対する応答を伝達してもよい（６１８）。ターゲットＭＳはまた、要求を受け入れると、モードを要求されたモードに切り替える（６２０）。本発明の１つのかかる実施形態では、ターゲットＭＳは、通信セッションのモードを切り替えるように要求されていると判断すると、応答を自動的に伝達してもよい（６１８）。たとえば、通信セッションは、相互接続通信セッションであってもよく、モード切替え要求は、ディスパッチに切り替わりたいという要求を含んでもよい。ターゲットＭＳ１０２は、ディスパッチ音声呼に参加する機能を有していない場合、自動的に要求を拒絶してもよい。ターゲットＭＳ１０２は、ディスパッチ音声呼に参加する機能を有している場合、自動的に要求を受け入れてもよい。また、ディスパッチ音声呼に参加しているターゲットＭＳは、相互接続呼に切り替わるモード切替え要求を受け取ると、いずれの応答がＭＳにプログラムされているかに応じて、自動的に要求を受け入れてもよく、または自動的に拒絶してもよい。当業者は、要求に対する自動応答に関してＭＳに多数の応答シナリオをプログラムしてもよく、上記シナリオは、単に本発明の原理を例示する目的のために提示されている、ということを理解する。自動応答シナリオを、ベンダがＭＳにプログラムしてもよく、またはユーザがＭＳにプログラムしてもよく、あるいは応答によってはベンダがプログラムしてもよく（たとえば、ＭＳにディスパッチ機能がない場合にディスパッチ要求を自動的に拒絶する）、応答によってはユーザがプログラムしてもよい。
【００７３】
本発明のさらに別の実施形態では、ターゲットＭＳ１０２は、モード切替え要求を受け取ると、ＭＳのユーザに対して応答方法に関して問い合わせた後に要求に対する応答を伝達してもよい（６１８）。たとえば、ターゲットＭＳは、ユーザに対してモード切替え要求の受取りを音声によりまたは視覚的に警告してもよく、ＭＳのユーザインタフェース２０２の表示画面に、ユーザがモードを切り替えたい、すなわちディスパッチ呼から相互接続呼にまたは相互接続呼からディスパッチ呼に、いずれか適当な方に切り替えたいか否かに関して、ユーザに問い合わせるテキストメッセージを提示してもよい。ＭＳはまた、ユーザに対してあり得る応答を提示してもよく、その場合、各あり得る応答は、画面に提示されるアイコンまたは選択可能なメッセージによって表される。そして、ＭＳのユーザは、アイコンまたはテキストメッセージを選択することにより応答を選択してもよい。
【００７４】
モード切替え応答は、レイヤ２信号方式を介して要求側ＭＳ１０１に伝達される１つまたは複数のＤＴＭＦトーンを含むことが好ましい。１つまたは複数の第１のモード切替え応答ＤＴＭＦトーンは、モード切替え要求の受入れに対応してもよく、１つまたは複数の第２のモード切替え応答ＤＴＭＦトーンは、モード切替え要求の拒絶に対応してもよい。モード切替え応答は、さらに、応答を発信するＭＳ、すなわちＭＳ１０２を識別する１つまたは複数のＤＴＭＦトーンを含んでもよい。そして、ターゲットＭＳ、すなわちＭＳ１０２は、インフラストラクチャ１３４と、ターゲットＭＳ１０２に割り当てられた逆方向トラフィックチャネル、すなわちチャネル１５３と、ＭＳ１０１に割り当てられた順方向トラフィックチャネル、すなわちチャネル１４３と、を介してモード切替え応答を要求側ＭＳ１０１に伝達する（６２０）。しかしながら、要求側ＭＳ１０１が応答を待っている本発明の別の実施形態では、ターゲットＭＳは、要求に応答しないことによりモード切替え要求を拒絶してもよい。
【００７５】
要求側ＭＳ１０１は、モード切替え応答を受け取ると、受け取った１つまたは複数のＤＴＭＦトーンに基づき、要求が受け入れられたか拒絶されたかを判断する（６２２）。要求側ＭＳ１０１は、要求が受け入れられたと判断すると、モード切替えの音声による受入れ警告を発し（６２４）、またはＭＳのユーザインタフェース２０２の表示画面にモード切替え受入れの視覚的メッセージを表示し、モードの切替えを交渉する（６２６）。たとえば、相互接続モードに切り替わる場合、要求側ＭＳおよびターゲットＭＳは、単純な旧式の電話サービス呼の設定交渉に参加してもよい。そして、論理フローは終了する（６３２）。要求側ＭＳ１０１は、要求が拒絶されたと判断すると、ユーザに対してモード切替えの音声による拒絶警告を発し（６２８）、またはＭＳのユーザインタフェース２０２表示画面にモード切替え拒絶の視覚的メッセージを表示し、現モードを維持し（６３０）、論理フローは終了する（６３２）。
【００７６】
論理フローチャート６００においてＭＳ間で伝達される信号方式について、ＤＴＭＦトーンを含むものとして上述しているが、当業者は、本発明の精神および範囲から逸脱することなく、ＭＳ間で伝達される信号方式が、適当なインバンド信号方式トーン発生器によって生成され適当なインバンド信号方式トーン検出器によって検出される、任意のインバンド信号方式トーンフォーマットを利用してもよい、ということを理解する。たとえば、本発明の別の実施形態、すなわちＴＴＹ／ＴＴＤ実施形態では、図６に示すモード切替え方式は、ＤＴＭＦトーンの代りにＴＴＹ／ＴＴＤトーンを利用してもよい。すなわち、ＴＴＹ／ＴＴＤ実施形態では、モード切替え要求およびモード切替え応答の各々は、１つまたは複数のＤＴＭＦトーンの代りに、ＴＴＹ／ＴＴＤ発生器２２２によって生成され対応するＭＳのＴＴＹ／ＴＴＤ検出器２２４によって検出される１つまたは複数のＴＴＹ／ＴＴＤトーンを含んでもよい。
【００７７】
要約すると、ディスパッチタイプのサービスをＣＤＭＡ通信システム等の相互接続通信システム１００で実施することができるようにする方法およびシステムを提供する。基礎となるネットワーク、すなわちインフラストラクチャ１３４に透過的なトークグループの作成および管理ならびにインバンドフロア調停を提供することにより、ネットワークを変更する必要なく、かつ採用するネットワークのタイプに関わりなく、レガシシステムにおいてトークグループの作成および管理ならびにインバンドフロア調停を実施することができる。さらに、主に既知のメッセージの変更されたバージョンを利用する即時アクセス呼設定手続きおよびモード切替え手続きを提供することにより、レガシシステムにおけるそれらの実施が簡略化され、レガシネットワークへのかかる手続きの追加による影響が最小化される。
【００７８】
本発明を、特にその特定の実施形態に関して図示し説明したが、当業者には、以下の特許請求の範囲に示すような本発明の範囲から逸脱することなく、さまざまな変更を行いそれらの要素の代りに等価物を使用してもよい、ということが理解されよう。したがって、明細書および図面は、限定的な意味ではなく例示的な意味でみなされるべきであり、かかる変更および代用はすべて、本発明の範囲内に含まれるように意図されている。
【００７９】
利益、他の利点および問題に対する解決法について、特定の実施形態に関して上述した。しかしながら、それら利益、利点、問題に対する解決法、ならびに任意の利益、利点または解決法を発生させまたはより明白になるようにすることができる任意の要素（複数可）は、任意のまたはすべての特許請求の範囲の重大な、必要な、または本質的な特徴または要素として解釈されるべきではない。本明細書で使用する「具備する」、「含む」、「備える」（comprises 、comprising）またはそれらの任意の変形の用語は、非排他的包含を網羅するように意図されており、それにより、要素のリストを含むプロセス、方法、物品または装置は、それらの要素のみを含むのではなく、明白に列挙されておらずまたはかかるプロセス、方法、物品または装置に固有である他の要素を含んでもよい。さらに、第
１および第２、上部および下部等、関係を示す用語が使用される場合、それらは単に、１つのエンティティまたは動作を別のエンティティまたは動作から、かかるエンティティまたは動作間の任意の実際のかかる関連または順序を必ずしも要求しまたは暗示することなく識別するように使用している。
【図面の簡単な説明】
【００８０】
【図１】本発明の一実施形態による無線通信システムのブロック図である。
【図２】本発明の一実施形態による図１の移動局のブロック図である。
【図３】本発明の一実施形態によるトークグループを設定する際に図１の移動局によって実行されるプロセスの論理フローチャートである。
【図４Ａ】本発明の一実施形態による即時アクセス音声呼を確立する際に図１の通信システムによって実行されるプロセスの論理フローチャートである。
【図４Ｂ】本発明の一実施形態による即時アクセス音声呼を確立する際に図１の通信システムによって実行されるプロセスの図４Ａの論理フローチャートの続きである。
【図４Ｃ】本発明の一次実施形態による即時アクセス音声呼を確立する際に図１の通信システムによって実行されるプロセスの図４Ａおよび図４Ｂの論理フローチャートの続きである。
【図５】本発明の一実施形態による通信セッションのインバンドフロア制御の信号フローチャートである。
【図６】本発明の一実施形態によるインバンド信号方式を介して通信セッションのモードを切り替える方式の論理フローチャートである。
【図１】
2006519509.tif 000003
【図２】
2006519509.tif 000004
【図３】
2006519509.tif 000005
【図４Ａ】
2006519509.tif 000006
【図４Ｂ】
2006519509.tif 000007
【図４Ｃ】
2006519509.tif 000008
【図５】
2006519509.tif 000009
【図４Ｄ】
2006519509.tif 000010
【図６】
2006519509.tif 000011
【国際調査報告】
2006519509.tif 000012